(57)【特許請求の範囲】
【請求項１】
台予約に関する会員のデータと台予約に関するデータとを記憶する台予約管理装置と、遊技店に設置された台予約確認端末と、遊技機に対応して設置された台間機とを備えた遊技場システムであって、
前記台予約管理装置は、前記台予約確認端末により読取可能な識別情報であって前記会員の有する記憶媒体に固有の識別情報を、前記会員に関するデータとして記憶するとともに、前記会員の有する遊技者端末機から遊技機の台予約がなされると、前記識別情報を前記台予約に関するデータとして記憶し、
前記台予約確認端末は、前記記憶媒体から前記識別情報を読み取って、前記台予約管理装置へ送信し、
前記台予約管理装置は、前記識別情報を受信すると前記台予約を確定するとともに、前記識別情報を、前記台予約がなされた遊技機の台間機に関連付けて記憶し、
前記台間機は、前記記憶媒体から前記識別情報を読み取って前記台予約管理装置へ送信し、
前記台予約管理装置は、前記台間機から前記識別情報を受信すると、玉貸しの許否を判断し、この判断結果を前記台間機に送信し、
前記台予約が、複数台の遊技機により構成される特定遊技機コーナーに対して行われ、
前記台予約管理装置は、
前記台予約確認端末から送信されてきた前記識別情報を受信するとともに、該識別情報の示す会員が一の特定遊技機コーナーを台予約しているときに、該特定遊技機コーナーに属する複数台の遊技機に対応した複数の台間機の台間機番号のそれぞれに前記識別情報を関連付けて記憶し、
前記台間機から前記識別情報を受信すると、該台間機に対応した遊技機を含む特定遊技機コーナーに属する複数台の遊技機のそれぞれに対応した複数の台間機のうち前記識別情報を送信してきた台間機以外の台間機の台間機番号に関連付けられた識別情報を削除する
ことを特徴とする遊技場システム。
【請求項２】
台予約に関する会員のデータと台予約に関するデータとを記憶する台予約管理装置と、遊技店に設置された台予約確認端末と、遊技機に対応して設置された台間機とを備えた遊技場システムであって、
前記台予約管理装置は、前記台予約確認端末により読取可能な識別情報であって前記会員の有する記憶媒体に固有の識別情報を、前記会員に関するデータとして記憶するとともに、前記会員の有する遊技者端末機から遊技機の台予約がなされると、前記識別情報を前記台予約に関するデータとして記憶し、
前記台予約確認端末は、前記記憶媒体から前記識別情報を読み取って、前記台予約管理装置へ送信し、
前記台予約管理装置は、前記識別情報を受信すると前記台予約を確定するとともに、前記識別情報を、前記台予約がなされた遊技機の台間機に関連付けて記憶し、
前記台間機は、前記記憶媒体から前記識別情報を読み取って前記台予約管理装置へ送信し、
前記台予約管理装置は、前記台間機から前記識別情報を受信すると、玉貸しの許否を判断し、この判断結果を前記台間機に送信し、
前記台予約が、複数台の遊技機により構成される特定遊技機コーナーに対して行われ、
前記台予約管理装置は、
前記台予約確認端末から送信されてきた複数の識別情報を受信するとともに、これら識別情報の示す各会員がいずれも一の特定遊技機コーナーに対して台予約をしているときは、前記一の特定遊技機コーナーに属する複数台の遊技機に対応した複数の台間機の台間機番号のそれぞれに前記複数の識別情報を関連付けて記憶し、
前記一の特定遊技機コーナーに属する遊技機に対応した台間機から前記識別情報を受信すると、該台間機の台間機番号に関連付けられた複数の識別情報のうち前記受信した識別情報以外の識別情報を削除する
ことを特徴とする遊技場システム。
【発明の詳細な説明】
【技術分野】
【０００１】
本発明は、遊技に関する情報を管理する遊技場システムに関し、特に、遊技店の開店前に遊技店の入口で並んで待っている遊技客の入場整理を電子的に行う遊技場システムに関する。
【背景技術】
【０００２】
パチンコ機やスロットマシン等に代表される遊技機が複数設置された遊技店においては、開店前から遊技店の入口に並んで待っている遊技客のために、整理券を発行するところが多い。
この整理券は、通常、遊技店に設置された遊技機の台数分（あるいは、遊技店が決めた台数分）だけ発行されており、遊技店の店員によって遊技客に配布される。
【０００３】
遊技客は、その整理券を受け取りたいときは、遊技店が指定する整理券配布開始時間（例えば、開店時間が午前１０時の遊技店において開店１時間前の午前９時００分など）までに、該遊技店の入口に来て列の後ろに並ぶ。
遊技店の店員は、整理券配布開始時間になると、シリアル番号が付された整理券を、その並んでいる遊技客に対し、その待ち順にしたがって配布していく。
【０００４】
整理券を受け取った遊技客は、開店時間まで自由時間となるが、開店時間の直前には、整理券を所持して再び遊技店の入口に集まり、入場の指示を待つ。
開店時間になると、店員は、整理券に記載されたシリアル番号の順に、遊技客を遊技店に入場させる。そして、整理券を所持する遊技客の入場が終了すると（あるいは、開店から所定時間が経過すると）、店員は、整理券を所持していない遊技客を入場させる。
【０００５】
このように、遊技店は、整理券を発行することで、開店時における遊技客の流れをスムースに行うことができ、稼動率を高めることができる。一方、遊技客は、ホール入口に早く並んで開店を待つことで他の遊技客よりも優先的に入場することができ、所望する遊技機で遊技を楽しむことができる。
【０００６】
ところで、整理券による遊技客の管理については、従来から種々の技術が提案されている。
例えば、整理券管理装置から整理券データを受信すると、この整理券データを整理券に印字して発行する整理券端末を備えたシステムがある（例えば、特許文献１参照。）。
この技術によれば、整理券管理装置が整理券データを管理するので、店員が整理券を管理する手間を軽減できる。また、整理券端末が整理券を発行するので、配布時の煩雑さを解消できる。
【０００７】
また、管理サーバが情報端末から整理券の発行要求を受け付けると、整理券データをその情報端末へ送信し、入場受付時には、整理券受付機が情報端末から整理券データを読み取り、この読み取られた整理券データから整理番号を特定し、この整理番号にもとづいて入場の許可又は不許可を判定して報知する技術がある（例えば、特許文献２参照。）。
この技術によれば、遊技客は、自身の情報端末に整理券データをダウンロードするだけで、遊技店への優先入場と入場後における遊技機の確保とを同時に行うことができる。また、遊技店の店員にとっては、遊技客への対応業務が削減されることから業務負担を軽減できる。
【先行技術文献】
【特許文献】
【０００８】
【特許文献１】特開２００４−２９８４７７号公報
【特許文献２】特開２００８−１２１６７号公報
【発明の概要】
【発明が解決しようとする課題】
【０００９】
しかしながら、前述の各特許文献に記載の技術には、次のような問題があった。
例えば、特許文献１に記載の技術は、整理券端末が印字出力した整理券を、遊技店の店員が開店前に遊技店の入口に並んでいる遊技客に手渡していた。ここで、遊技客の中には、整理券を受け取ると、これを自分では使わずに、他人に転売する者がいた。このような行為は、転売した額が全てその者の利益となるので、不正な行為として防止する必要があった。
また、特許文献２に記載の技術は、整理券データがＱＲコードであった。このＱＲコードは印刷可能であり、転売することも考えられた。
【００１０】
本発明は、上記の事情にかんがみなされたものであり、整理券の転売を防止可能とする遊技場システムの提供を目的とする。
【課題を解決するための手段】
【００１１】
この目的を達成するため、本発明の遊技システムは、台予約に関する会員のデータと台予約に関するデータとを記憶する台予約管理装置と、遊技店に設置された台予約確認端末と、遊技機に対応して設置された台間機とを備えた遊技場システムであって、台予約管理装置は、台予約確認端末により読取可能な識別情報であって会員の有する記憶媒体に固有の識別情報を、会員に関するデータとして記憶するとともに、会員の有する遊技者端末機から遊技機の台予約がなされると、識別情報を台予約に関するデータとして記憶し、台予約確認端末は、記憶媒体から識別情報を読み取って、台予約管理装置へ送信し、台予約管理装置は、識別情報を受信すると台予約を確定するとともに、識別情報を、台予約がなされた遊技機の台間機に関連付けて記憶し、台間機は、記憶媒体から識別情報を読み取って台予約管理装置へ送信し、台予約管理装置は、台間機から識別情報を受信すると、玉貸しの許否を判断し、この判断結果を台間機に送信する構成としてある。
【発明の効果】
【００１２】
本発明の遊技場システムによれば、従来の整理券やＱＲコード（登録商標）のように印刷して転売する可能性をなくすことができる。
【図面の簡単な説明】
【００１３】
【図１】本発明の実施形態における遊技場システムの構成を示す概略図である。
【図２】台間機の構成を示す外観正面図である。
【図３】台間機の構成を示すブロック図である。
【図４】ホール管理装置（台予約管理装置、カード管理装置）の構成を示すブロック図である。
【図５】予約会員データベースの構成を示す図表である。
【図６】機種−台間機割り当てデータベースの構成を示す図表である。
【図７】予約機種確定データベースの構成を示す図表である。
【図８】台間機−携帯電話ＩＤ割り当てデータベースの構成を示す図表である。
【図９】台予約確認端末の構成を示すブロック図である。
【図１０】遊技者端末機の構成を示すブロック図である。
【図１１】入場管理方法の全体の流れを示すフローチャートである。
【図１２】予約会員が本予約を行った場合における予約機種確定データベースの処理手順を示す図である。
【図１３】予約会員がキャンセル待ちを行った場合における予約機種確定データベースの処理手順を示す図である。
【図１４】予約会員が本予約とキャンセル待ちの両方を行った場合における予約機種確定データベースの処理手順を示す図である。
【図１５】予約会員登録処理の手順を示すフローチャートである。
【図１６】台予約処理の手順を示すフローチャートである。
【図１７】台予約処理における遊技者端末機９０と台予約管理装置５０との間のデータの流れを示す動作手順図である。
【図１８】台予約確認処理の手順を示すフローチャートである。
【図１９】台予約確認処理における台予約確認端末７０と台予約管理装置５０との間のデータの流れを示す動作手順図である。
【図２０】台予約確認確定処理の手順を示すフローチャートである。
【図２１】予約機種確定データベースにおいてキャンセル待ち順が付与された状態を示す図表である。
【図２２】台予約修正処理の手順を示すフローチャートである。
【図２３】台予約修正処理における携帯端末９０と台予約管理装置５０との間のデータの流れを示す動作手順図である。
【図２４】台間機−識別情報割当処理の手順を示すフローチャートである。
【図２５】台受付処理の手順を示すフローチャートである。
【図２６】台受付処理における台間機２０と台予約管理装置５０との間のデータの流れを示す動作手順図である。
【図２７】台受付処理において台間機−携帯電話ＩＤ割り当てデータベースの割り当て携帯電話ＩＤを削除する様子を示す図表である。
【図２８】台受付開放処理の手順を示すフローチャートである。
【図２９】第二実施形態の遊技場システムで使用される本会員データベースの構成を示す図表である。
【図３０】第二実施形態の遊技場システムで使用される予約機種確定データベースの構成を示す図表である。
【図３１】第二実施形態の遊技場システムで使用される台間機−本会員カードＩＤ割り当てデータベースの構成を示す図表である。
【発明を実施するための形態】
【００１４】
以下、本発明に係る遊技場システムの好ましい実施形態について、図面を参照して説明する。
【００１５】
［第一実施形態］
（Ｉ）遊技場システム
まず、本発明の遊技場システムの実施形態について、図１を参照して説明する。
同図は、本実施形態の遊技場システムの構成を示す概略図である。
同図に示すように、遊技場システム１は、複数の遊技機１０と、これら遊技機１０毎に設けられた複数の台間機（遊技媒体貸出機）２０と、各遊技機１０及び台間機２０に接続された台管理装置３０と、各台管理装置３０に接続されたホール管理装置４０と、台予約を管理する台予約管理装置５０と、台間機２０を管理するカード管理装置６０と、遊技店の入口などに設置される台予約確認端末７０と、ネットワーク８０を介して通信可能な遊技者端末機９０とを備えている。
【００１６】
ここで、遊技機１０は、遊技媒体となる遊技球やメダルを使用して所定の遊技を行う装置であって、代表的なものに、パチンコ機１０ａやスロットマシン１０ｂなどがある。
遊技店においては、通常、複数の遊技機１０が所定数単位でまとめられた、いわゆる「島」単位で設置されており、それら複数の遊技機島が遊技店内に並列されるようになっている。
【００１７】
また、遊技店の中には、島ごと、列ごと又は通路の両側に、同一機種の遊技機１０を複数台並べて設置するところが多い。
さらに、一台ごとに異なる機種の遊技機１０を並べて一つの島や列を形成し、これをバラエティコーナーとしているところもある。
しかも、１個４円未満（例えば、１円〜３円）で貸し出された遊技球を用いて遊技を行うところもある。特に、１個１円の遊技球を用いて遊技を行うパチンコ機１０ａを「１円パチンコ」と称し、このパチンコ機１０ａが並べられたコーナーをバラエティコーナーとしているところもある。
なお、本実施形態においては、遊技店に設置された遊技機１０のうち、同一機種やバラエティコーナーなどのように任意のカテゴリーでまとめられる複数台の遊技機１０を「特定遊技機コーナー」というものとする。
また、本実施形態の遊技場システム１による台予約は、一台の遊技機１０を対象とすることができ、機種単位やバラエティコーナーなどの「特定遊技機コーナー」を対象とすることもできる。
【００１８】
台間機２０は、通常遊技機１０に一対一で対応して併設されており、現金の投入又は有価カードの挿入により遊技媒体を貸し出す装置である。
この台間機２０は、図２、図３に示すように、紙幣投入口２１と、ＩＤリーダ２２と、カードリーダ２３と、紙幣搬送部２４と、通信手段２５と、記憶手段２６と、制御手段２７とを有している。
【００１９】
ＩＤリーダ２２は、予約会員が所有する遊技者端末機（携帯電話）９０から携帯電話ＩＤを読み取る。
予約会員とは、本実施形態の遊技場システム１が提供するサービス、例えば、開店時に非予約会員よりも優先して遊技店に入場できることなど、従来の整理券の配布による効果と同じ効果あるいはそれ以上の効果を受けるための会員をいう。このため、予約会員は、いわゆる「貯玉会員」や「ポイントカード会員」などとは異なる。ただし、遊技場システム１の構成によっては、「貯玉会員」や「ポイントカード会員」も該遊技場システム１が提供するサービスを享受可能にすることができる。この場合の遊技場システム１の構成については、第二実施形態で説明する。なお、本実施形態の予約会員と第二実施形態の本会員とを総称して、「台予約に関する会員」というものとする。
【００２０】
通信手段２５は、台管理装置３０との間でデータの送受信を行う。具体的には、例えば、ＩＤリーダ２２で読み取られた携帯電話ＩＤや、記憶手段２６から取り出された台間機番号を台管理装置３０へ送信する。また、台予約管理装置５０から送られてきた、台受付処理における照合結果（後述）などを受信する。
記憶手段２６は、台間機２０の有する各種機能に関するプログラムやデータを記憶する。特に、記憶手段２６は、台間機番号を記憶している。
制御手段２７は、台間機２０の有する各種機能に関する処理を実行する。特に、制御手段２７は、台受付処理（後述）に関する制御を実行する。
なお、台間機２０は、例えば各台計数機付きの台間機であってもよい。
【００２１】
台管理装置３０は、遊技機１０，台間機２０，ホール管理装置４０，台予約管理装置５０などと接続されており、これらの各間で所定の信号（データ）を送受信する信号中継装置である。
【００２２】
ホール管理装置４０は、遊技機１０で行われた遊技に関するデータを集計管理するコンピュータであり、通常、遊技店の管理者が操作可能な場所、例えば、カウンタ奥の管理室等に設置されている。
このホール管理装置４０は、図４に示すように、通信手段４１と、記憶手段４２と、表示手段４３と、入力手段４４と、制御手段４５と、出力手段４６とを有している。
なお、図４は、ホール管理装置４０の構成だけでなく、台予約管理装置５０やカード管理装置６０の構成も併せて示している。これは、ホール管理装置４０と、台予約管理装置５０と、カード管理装置６０が、いずれもパーソナルコンピュータを用いることできることから、構成も同様なものとなるためである。ただし、台予約管理装置５０又はカード管理装置６０においては、表示手段５３，６３及び入力手段５４、６４を省略することができる。また、出力手段４６（５６、６６）については、省略するか、あるいは、一台のみ設けて共用することもできる。
【００２３】
通信手段４１は、台管理装置３０を介して遊技機１０や台間機２０に接続されており、所定の信号を送受信する。また、通信手段４１は、台予約管理装置５０やＰＯＳ（図示せず）などと接続されており、予約会員に関するデータを送受信する。
記憶手段４２は、例えば、ＲＯＭ、ＲＡＭ、ＨＤＤなどで構成することができ、ホール管理装置４０の有する各種機能を実行するためのプログラムやデータを記憶する。
この記憶手段４２が記憶するデータとしては、例えば、各遊技機１０の遊技に関する情報や予約会員データベースを構成するデータなどがある。
【００２４】
予約会員データベースは、図５に示すように、「予約会員ＩＤ」と、「暗証番号」と、「携帯電話ＩＤ」と、「携帯電話メールアドレス」とを項目として構成されている。
ここで、「予約会員ＩＤ」は、遊技客が予約会員の登録手続きを行う際、ホール管理装置４０から付与される番号である。この「予約会員ＩＤ」は、予約会員ごとに異なる番号が付与される。
「暗証番号」は、予約会員により任意に設定される番号である。この「暗証番号」を登録しておくことで、他人による予約会員ＩＤの使用を防止できる。
【００２５】
「携帯電話ＩＤ」は、台予約確認端末７０や台間機２０などで読取可能な携帯電話９０に固有の番号である。具体的には、例えば、携帯電話９０に搭載されたＩＣチップのユニークなＩＤ番号（ＩＤｍ）などを用いることができる。
「携帯電話メールアドレス」は、予約会員が所持する携帯電話９０と台予約管理装置５０（又はホール管理装置４０）と間でメールを送受信する際に用いられる、その携帯電話９０を特定するための文字列である。この「携帯電話メールアドレス」を予約会員データベースに登録するか否かについては、予約会員（又は遊技店）が任意に決めることができる。
【００２６】
表示手段４３は、例えば、ＬＣＤ（液晶ディスプレイ）、ＣＲＴ（ブラウン管）、プラズマディスプレイなどで構成することができ、遊技店の店員による入力手段４４での入力指示操作の内容にもとづいて、所定のデータを表示する。
入力手段４４は、例えば、キーボードやマウスなどで構成されており、遊技店の店員が操作することにより、所定のデータや指示、命令などを選択・入力できるようになっている。
【００２７】
制御手段４５は、例えば、ＣＰＵにより構成することができ、記憶手段４２に記憶されているプログラムを読み込んで実行することにより、ホール管理装置４０の構成各部に指令を送り、又は自ら動作して、ホール管理装置４０の有する各種機能を実行・制御する。
出力手段４６は、プリンタなどで構成することができ、所定のデータを印字出力する。
【００２８】
台予約管理装置５０は、台予約に関するデータを管理する装置であって、図４に示すように、通信手段５１と、記憶手段５２と、表示手段５３と、入力手段５４と、制御手段５５と、出力手段５６とを有している。
通信手段５１は、ホール管理装置４０に接続されており、予約会員に関するデータを送受信する。また、通信手段５１は、ネットワーク８０を介して遊技者端末機９０に接続されており、台予約処理や台予約修正処理に関するデータを送受信する。さらに、通信手段５１は、台予約確認端末７０に接続されており、台予約確認処理や台予約修正処理に関するデータを送受信する。そして、通信手段５１は、台管理装置３０を介して台間機２０に接続されており、台受付処理に関するデータを送受信する。
なお、台予約処理、台予約確認処理、台予約修正処理、台受付処理については、後記の「（II）入場管理方法」で詳述する。
【００２９】
記憶手段５２は、台予約管理装置５０の有する各種機能を実行するためのプログラムやデータを記憶する。
また、記憶手段５２は、予約会員データベースと、機種−台間機割り当てデータベースと、予約機種確定データベースと、台間機−携帯電話ＩＤ割り当てデータベースを記憶する。
機種−台間機割り当てデータベースは、図６に示すように、遊技機１０の「機種」と、「割り当て台間機番号」とを項目として構成されている。
【００３０】
「割り当て台間機番号」は、各台間機２０に付された台間機番号を、対応する遊技機１０の「機種」ごとに振り分けたものである。ここで、同図においては、機種「ＣＲ：ａａａ」の遊技機１０に、台間機番号１００〜１１０の台間機２０が割り当てられている。これにより、機種「ＣＲ：ａａａ」の遊技機１０のうち台予約の対象となっている遊技機１０は、割り当てられた台間機番号１００〜１１０の台間機２０の台数と同じ１１台であることがわかる。また、同図においては、機種「ＣＲ：ｂｂｂ」の遊技機１０に、台間機番号１５０〜１７０の２１台の台間機２０が割り当てられている。さらに、機種「ＣＲ：ｃｃｃ」の遊技機１０に、台間機番号２１０〜２２０の１１台の台間機２０が割り当てられている。
この機種−台間機割り当てデータベースは、後述する「入場管理方法」を実行する前に、台予約管理装置５０の記憶手段５２に予め用意されている。
【００３１】
予約機種確定データベースは、図７に示すように、店ごと、日ごとに作成され、「予約順」、「予約会員ＩＤ」、「携帯電話ＩＤ」、「予約機種」、「割り当て台間機番号」、「本予約」、「キャンセル待ち」、「複数予約」、「キャンセル待ち確定」、「キャンセル待ち順」、「本予約仮確定」、「本確定」を項目として構成されている。
「予約順」は、予約会員により台予約が行われた順番を示すものであり、台予約処理（後述）において予約機種確定データベースに登録された時間の早いものから順に、シリアル番号で付される。
「予約機種」は、予約会員が「本予約」又は「キャンセル待ち」を行った機種を示す。
【００３２】
「本予約」は、予約会員が「予約機種」に示されている機種を予約しているか否かを示すフラグである。この「本予約」には、その機種について予約していないことを示す「フラグ０」と、その機種について予約していることを示す「フラグ１」のいずれかが格納される。
なお、以下の説明においては、「フラグ０」を単に「０」とし、「フラグ１」を単に「１」として表す。
【００３３】
「キャンセル待ち」は、予約会員が「予約機種」に示されている機種をキャンセル待ちしているか否かを示すフラグである。この「キャンセル待ち」には、その機種についてキャンセル待ちしていないことを示す「０」と、その機種についてキャンセル待ちしていることを示す「１」のいずれかが格納される。この「キャンセル待ち」に「１」が格納される場合とは、例えば、予約会員が希望する機種を「本予約」できなかったときに、その機種をキャンセル待ちする場合などがある。
「複数予約」は、一人の予約会員が同じ日において一の機種の「本予約」と他の機種の「キャンセル待ち」の両方を行った場合（場合１）、又は、一人の予約会員が同じ日において複数の機種の「キャンセル待ち」を行った場合（場合２）に立てられるフラグである。この「複数予約」には、場合１又は場合２であることを示す「１」と、場合１又は場合２のいずれでもないことを示す「０」のいずれかが格納される。
【００３４】
「キャンセル待ち確定」は、「キャンセル待ち」を「１」にした予約会員が開店前所定時間内に台予約確認端末７０にて台予約確認処理（後述）を実行したか否かを示すフラグである。この「キャンセル待ち確定」には、その予約会員が開店前所定時間内に台予約確認処理を実行したことを示す「１」と、それ以外の状態を示す「０」のいずれかが格納される。なお、この「キャンセル待ち確定」に「１」が格納された場合、「キャンセル待ち」が「１」から「０」に変更される（「キャンセル待ち」の削除）。
「キャンセル待ち順」は、「キャンセル待ち確定」が「１」である予約確定データに対して、機種ごとに、予約順にしたがって付される順番である。
【００３５】
「本予約仮確定」は、予約会員が一の機種について「キャンセル待ち」をし、他の機種について「本予約」をした場合において、その予約会員が台予約確認端末７０にて台予約確認処理を実行したか否かを示すフラグである。この「本予約仮確定」には、その予約会員が開店前所定時間内に台予約確認処理を実行したことを示す「１」と、それ以外の状態を示す「０」のいずれかが格納される。
なお、この「本予約仮確定」に「１」が格納された場合、「本予約」が「１」から「０」に変更される（「本予約」の削除）。
また、「本予約」の「１」を「０」に変更するとともに、「本予約仮確定」の「０」を「１」に変更する処理（「本予約」から「本予約仮確定」への変更）は、「キャンセル待ち」の「１」を「０」に変更するとともに、「キャンセル待ち確定」の「０」を「１」に変更する処理（「キャンセル待ち」から「キャンセル待ち確定」への変更）と同じタイミング（台予約確認処理の実行時）に行われる。
さらに、「キャンセル待ち確定」を「１」にしていた一の機種にキャンセルが出たために、後述の「本確定」が「１」にされたときは、他の機種の「本予約仮確定」が「１」から「０」に変更される（「本予約仮確定」の取消し）。これは、一人の予約会員に対して複数機種（複数台）での遊技ができないようにするためである。
【００３６】
「本確定」は、「キャンセル待ち」を行わず「本予約」のみ行った予約会員が台予約確認端末７０にて台予約確認処理を実行したか否かを示すフラグである。この「本確定」には、その予約会員が開店前所定時間内に台予約確認処理を実行したことを示す「１」と、それ以外の状態を示す「０」のいずれかが格納される。「１」が格納された場合、「本予約」が「１」から「０」に変更される（「本予約」の削除）。
また、「本確定」は、「キャンセル待ち確定」を「１」にした機種にキャンセルが出た場合において、該機種の遊技を希望するときに、台予約修正処理（後述）を行って、「キャンセル待ち確定」から変更されるフラグである。この場合、「本確定」には、該機種の遊技を希望することを示す「１」と、それ以外の状態を示す「０」のいずれかが格納される。「１」が格納された場合、「キャンセル待ち確定」が「１」から「０」に変更される（「キャンセル待ち確定」の削除）。
【００３７】
台間機−携帯電話ＩＤ割り当てデータベースは、図８に示すように、「台間機番号」、「機種」、「割り当て携帯電話ＩＤ」を項目として構成されている。
「割り当て携帯電話ＩＤ」は、台予約修正処理の台間機−識別情報割当処理（後述）を実行することによって、予約機種確定データベースの「本予約仮確定」が「１」である予約機種データ、又は、「本確定」が「１」である予約機種データのいずれかに含まれている「携帯電話ＩＤ」を、それら「本予約仮確定」又は「本確定」した予約の対象である台間機２０に割り当てたものである。
この台間機−携帯電話ＩＤ割り当てデータベースの管理については、後記の「入場管理方法」で詳述する。
【００３８】
表示手段５３、入力手段５４、制御手段５５は、それぞれホール管理装置４０の表示手段４３、入力手段４４、制御手段４５と同様の機能を有している。
なお、台予約管理装置５０は、該遊技場システム１が構築された遊技店のサイトを開設している。このサイトは、ウエブブラウザを搭載した遊技者端末機９０からアクセス可能となっており、台予約処理や台予約修正処理などを実行する際に用いられる。
【００３９】
カード管理装置６０は、図４に示すように、通信手段６１と、記憶手段６２と、表示手段６３と、入力手段６４と、制御手段６５と、出力手段６６とを有している。
これら通信手段６１、記憶手段６２、表示手段６３、入力手段６４、制御手段６５、出力手段６６は、それぞれホール管理装置４０の記憶手段４２、表示手段４３、入力手段４４、制御手段４５、出力手段４６と同様の機能を有している。
【００４０】
台予約確認端末７０は、予約会員が、自身の予約を確定又は仮確定するための端末であって、例えば遊技店の入口付近などに設置することができる。
この台予約確認端末７０は、図９に示すように、通信手段７１と、記憶手段７２と、表示手段７３と、入力手段７４と、制御手段７５と、ＩＤリーダ７６とを有している。
【００４１】
通信手段７１は、ホール管理装置４０や台予約管理装置５０などと接続されており、所定のデータを送受信する。この通信手段７１で受信されたデータは、記憶手段７２に記憶される。
記憶手段７２は、台予約確認端末７０の有する各種機能に関するプログラムやデータを記憶する。
制御手段７５は、台予約確認処理や台予約修正処理（後述）についての制御を行う。
【００４２】
ＩＤリーダ７６は、予約会員がかざした携帯電話９０から携帯電話ＩＤを読み取る。
なお、台予約確認端末７０は、図９に示すように、カードリーダ７７を有することができる。このカードリーダ７７については、第二実施形態で説明する。
また、台予約確認端末７０は、ホール管理装置４０や台予約管理装置５０との間で、配線接続された有線通信により、所定のデータを送受信している。ただし、台予約確認端末７０とホール管理装置４０等との間は、無線通信により、所定のデータを送受信するようにしてもよい。
【００４３】
ネットワーク８０は、遊技場システム１と遊技者端末機９０との間を通信接続するための回線であり、従来公知の任意好適な公衆回線、商業回線又は専用回線を用いて、双方向のデータ通信を行う回線網である。具体的には、たとえば、インタネット回線網，イントラネット網，ＬＡＮ，ＷＡＮ，アナログ電話網，ディジタル電話網（たとえば、ＩＳＤＮ及び無線通信網（たとえば、携帯電話網，ＰＨＳ及び衛星放送など）等のうち、一又は二以上の組み合わせの利用が可能である。
【００４４】
遊技者端末機９０は、予約会員が所有する携帯電話又はパーソナルコンピュータであって、ウエブブラウザを搭載しており、ネットワーク８０を介して、台予約管理装置５０が開設しているサイトにアクセスし、そのサイト画面を表示し、そのサイト画面に示された指示にしたがって操作することで台予約処理や台予約修正処理（後述）を行うことができる。
【００４５】
この遊技者端末機９０は、図１０に示すように、通信手段９１と、記憶手段９２と、表示手段９３と、入力手段９４と、制御手段９５とを有している。
通信手段９１は、ネットワーク８０を介して、ホール管理装置４０や台予約管理装置５０などと接続可能となっており、所定のデータを送受信する。この通信手段９１で受信されたデータは、記憶手段９２に記憶される。
表示手段９３は、ウエブブラウザによりウエブページを表示することができる。
入力手段９４は、複数のキーで構成されており、ウエブページの表示内容にしたがって、予約希望日の入力や機種の選択などを行う。
制御手段９５は、台予約処理や台予約修正処理（後述）についての制御を行う。
【００４６】
なお、遊技場システム１が導入された遊技店には、図１に示す各装置の他、例えば、遊技媒体計数機や景品交換用ＰＯＳ端末などの各種機器や装置等を設置することができる。
【００４７】
（II）入場管理方法
次に、本実施形態の遊技システムの動作（入場管理方法）について、図１１〜図２８を参照して説明する。
【００４８】
この入場管理方法では、次の項目について説明する。
（II−１）入場管理方法の全体の流れ
（II−２）台予約管理装置５０が実行する予約機種確定データベースの管理
（II−３）予約会員登録処理
（II−４）台予約処理
（II−５）台予約確認処理
（II−６）台予約修正処理
（II−７）台受付処理
【００４９】
これらのうち、（II−１）では、遊技場システム１の一連の動作を大きく五つの段階に分けたことについて説明する。
（II−２）では、予約会員が本予約を行った場合、キャンセル待ちを行った場合、本予約とキャンセル待ちの両方を行った場合のそれぞれにおいて、実行されるデータ管理の概略を説明する。
（II−３）〜（II−７）では、（II−１）で分けられた五段階のそれぞれについて詳述する。
以下、（II−１）〜（II−７）の各項目について、順次説明する。
【００５０】
（II−１）入場管理方法の全体の流れ
入場管理方法は、図１１に示すように、予約会員登録処理（ステップ１０）と、台予約処理（ステップ１１）と、台予約確認処理（ステップ１２）と、台予約修正処理（ステップ１３）と、台受付処理（ステップ１４）とを有している。
これらの各処理の内容については、後記の「（II−３）予約会員登録処理」〜「（II−７）台受付処理」にて詳述する。
また、（II−３）〜（II−７）の理解を容易にするために、（II−２）において、台予約管理装置５０が実行する予約機種確定データベースの管理を、本予約時やキャンセル待ちなどに場合分けて説明する。
【００５１】
（II−２）台予約管理装置５０が実行する予約機種確定データベースの管理
ここでは、台予約管理装置５０による予約機種確定データベースの管理を、次の項目に分けて説明する。
（II−21）予約会員が本予約を行った場合
（II−22）予約会員がキャンセル待ちを行った場合
（II−23）予約会員が本予約とキャンセル待ちの両方を行った場合
なお、この（II−２）は、（II−３）〜（II−７）の理解を容易にするために、予約機種確定データベースの管理に特化して、その概略を説明するものである。よって、入場管理方法の有する各処理（図１１のステップ１０〜ステップ１４）は、この（II−２）で説明する内容に限るものではなく、（II−３）〜（II−７）に示す内容や、その他関連する事項も含まれる。
【００５２】
（II−21）予約会員が本予約を行った場合
台予約処理（ステップ１１）において、予約会員は、機種Ａを予約するために、携帯電話９０を操作して、「予約会員ＩＤ」、「予約日」、「予約機種」を入力する。携帯電話９０は、それら「予約会員ＩＤ」等を台予約要求として、台予約管理装置５０へ送信する。
台予約管理装置５０の通信手段９１は、台予約要求を受信する。制御手段５５は、台予約要求に含まれる「予約日」の予約機種確定データベースを参照し、それら「予約会員ＩＤ」及び「予約機種」を含む予約機種データを該予約機種確定データベースに新しく追加する。このとき、図１２（ア）に示すように、その新しく追加される予約機種データの「本予約」には、「１」が格納される。そして、「キャンセル待ち」、「複数予約」、「キャンセル待ち確定」、「本予約仮確定」、「本確定」のそれぞれには、「０」が格納される。これにより、予約会員が行った機種Ａの本予約が、台予約管理装置５０の予約機種確定データベースに登録される。
【００５３】
予約会員は、予約日の開店前所定時間まで（台予約確認端末受付時間内）に遊技店へ行き、この遊技店に設置された台予約確認端末７０を操作する。これにより、台予約確認処理（ステップ１２）が実行される。
この台予約確認処理において、予約会員が台予約確認端末７０のＩＤリーダ７６に携帯電話９０をかざすと、ＩＤリーダ７６は、その携帯電話９０から「携帯電話ＩＤ」を読み取り、台予約管理装置５０へ送信する。
台予約管理装置５０は、受信した「携帯電話ＩＤ」をキーとして予約機種確定データベースを検索し、その「携帯電話ＩＤ」を含む予約機種データが存在するか否かを判断する（予約の照合）。
【００５４】
判断の結果、その「携帯電話ＩＤ」を含む予約機種データが存在しているときは、制御手段５５は、図１２（イ）に示すように、その予約機種データの「本予約」の「１」を「０」に変更し、「本確定」の「０」を「１」に変更する。これにより、予約会員が行った機種Ａの本予約が確定する。
これに対し、予約会員が予約日の台予約確認端末受付時間内に遊技店へ行かなかったときは、台予約確認処理（ステップ１２）が実行されない。このため、図１２（ウ）に示すように、予約機種確定データベースにおいては、該予約会員の予約機種データの「本予約」が「１」、「本確定」が「０」のまま存置され、その「本予約」が確定しない状態となる。
【００５５】
開店前の所定時間になると（台予約修正処理の受付可能時間が終了すると）、台予約管理装置５０は、台予約修正処理（ステップ１３）の台間機−識別情報割当処理を実行する。
ここで、台予約管理装置５０の制御手段５５は、予約機種確定データベースを参照して、「本予約」が確定した予約機種データ（「本確定」が「１」である予約機種データ）を検索し、検索の結果、抽出した予約機種データに含まれる「予約機種」を用いて、台間機−携帯電話ＩＤ割り当てデータベースを作成又は参照し、その抽出した予約機種データに含まれる「携帯電話ＩＤ」を予約機種の「台間機番号」に割り当てる。
これに対し、「本予約」が未確定の予約機種データ（「本確定」が「０」である予約機種データ）については、作成された台間機−携帯電話ＩＤ割り当てデータベースに登録されず、「携帯電話ＩＤ」の「台間機番号」への割り当ても行われない。
【００５６】
開店時間になると、台予約管理装置５０は、台受付処理（ステップ１４）を実行する。
予約会員は、遊技店に入場すると、予約した遊技機１０の座席にすわり、携帯電話９０を台間機２０のＩＤリーダ２２にかざす。ＩＤリーダ２２は、携帯電話９０から「携帯電話ＩＤ」を読み取る。制御手段２７は、記憶手段２６から「台間機番号」を取り出し、これら「台間機番号」と「携帯電話ＩＤ」を、通信手段２５を介して台予約管理装置５０へ送信する。
台予約管理装置５０の通信手段５１は、送信されてきた「台間機番号」と「携帯電話ＩＤ」を受信する。制御手段５５は、台間機−携帯電話ＩＤ割り当てデータベースを参照し、その「携帯電話ＩＤ」を検索する。
【００５７】
検索の結果、台間機−携帯電話ＩＤ割り当てデータベースに「携帯電話ＩＤ」が登録されており、この「携帯電話ＩＤ」に関連付けられた「台間機番号」の一つが受信された「台間機番号」と同じであるときは、該「台間機番号」の示す台間機２０での玉貸しが解除される。これにより、予約会員は、予約した機種Ａの遊技機１０で遊技を行うことができる。なお、「玉貸し」には、パチンコ機１０ａの遊技媒体であるパチンコ玉の貸出と、スロットマシン１０ｂの遊技媒体であるメダルの貸出が含まれる。
一方、台間機−携帯電話ＩＤ割り当てデータベースに「携帯電話ＩＤ」が登録されていないときは、台間機２０からの玉貸しが解除されない（拒否される）。これにより、予約会員は、予約した機種Ａの遊技機１０で遊技を行うことができない。この場合、その予約会員は、開店後所定時間が経過するまでは遊技できないことになる。
【００５８】
（II−22）予約会員がキャンセル待ちを行った場合
台予約処理（ステップ１１）において、予約会員は、機種Ａの予約を行おうとしたものの、その機種Ａに対する他の予約会員からの本予約数が予約限度数に達しているために予約できなかったときは、その機種Ａについてキャンセル待ちをすることができる。この場合、予約会員は、携帯電話９０を操作して、「予約会員ＩＤ」、「予約日」、「キャンセル待ちをする機種」を入力し、それら「予約会員ＩＤ」等をキャンセル待ち要求として、台予約管理装置５０へ送信する。
【００５９】
台予約管理装置５０の制御手段５５は、キャンセル待ち要求に含まれる「予約日」の予約機種確定データベースを参照し、そのキャンセル待ち要求に含まれる「予約会員ＩＤ」及び「キャンセル待ちをする機種」を含む予約機種データを該予約機種確定データベースに新しく追加する。このとき、図１３（ア）に示すように、その新しく追加される予約機種データの「キャンセル待ち」には、「１」が格納される。そして、「本予約」、「複数予約」、「キャンセル待ち確定」、「本予約仮確定」、「本確定」のそれぞれには、「０」が格納される。また、「予約機種」には、キャンセル待ち要求に含まれている「キャンセル待ちをする機種」が格納される。これらにより、予約会員が行った機種Ａのキャンセル待ちが、台予約管理装置５０の予約機種確定データベースに登録される。
【００６０】
予約会員は、予約日の台予約確認端末受付時間内に遊技店へ行き、台予約確認端末７０を操作する。これにより、台予約確認処理（ステップ１２）が実行される。
この台予約確認処理において、予約会員が台予約確認端末７０のＩＤリーダ７６に携帯電話９０をかざすと、ＩＤリーダ７６にて「携帯電話ＩＤ」が読み取られ、台予約管理装置５０へ送信される。
台予約管理装置５０は、受信した「携帯電話ＩＤ」をキーとして予約機種確定データベースを検索し、その「携帯電話ＩＤ」を含む予約機種データが存在するか否かを判断する（予約の照合）。
【００６１】
判断の結果、その「携帯電話ＩＤ」を含む予約機種データが存在しているときは、制御手段５５は、図１３（イ）に示すように、その予約機種データの「キャンセル待ち」の「１」を「０」に変更し、「キャンセル待ち確定」の「０」を「１」に変更する。これにより、予約会員が行った機種Ａのキャンセル待ちが確定する。
これに対し、予約会員が予約日の台予約確認端末受付時間内に遊技店へ行かなかったときは、台予約確認処理（ステップ１２）が実行されない。このため、図１３（ウ）に示すように、予約機種確定データベースにおいては、該予約会員の予約機種データの「キャンセル待ち」が「１」、「キャンセル待ち確定」が「０」のまま存置され、そのキャンセル待ちが確定しない状態となる。
【００６２】
予約会員が「キャンセル待ち確定」をした機種Ａについてキャンセルが発生すると、その予約会員は、台予約修正処理（ステップ１３）において、機種Ａを「本確定」することができる。
この場合、予約会員は、携帯電話９０を操作して、「キャンセル待ち確定」を「本確定」に変更する要求を、台予約管理装置５０へ送信する。
台予約管理装置５０の通信手段５１がその要求を受信すると、制御手段５５は、図１３（エ）に示すように、その予約機種データの「キャンセル待ち確定」の「１」を「０」に変更し、「本確定」の「０」を「１」に変更する。これにより、予約会員がキャンセル待ちしていた機種Ａで遊技できることになる。
これに対し、予約会員が「キャンセル待ち確定」をした機種Ａについてキャンセルが発生しなかったときは、台予約修正処理（ステップ１３）が実行されない。このため、図１３（オ）に示すように、予約機種確定データベースにおいては、該予約会員の予約機種データの「キャンセル待ち確定」が「１」、「本確定」が「０」のまま存置され、キャンセル待ちしていた機種Ａで遊技ができない状態となる。
【００６３】
台予約修正処理の受付可能時間が終了すると、台予約管理装置５０は、台間機−識別情報割当処理を実行する。
ここで、「キャンセル待ち確定」から「本確定」に変更した予約機種データ（「本確定」が「１」である予約機種データ）については、この予約機種データに含まれる「携帯電話ＩＤ」が、台間機−携帯電話ＩＤ割り当てデータベースにおいて予約機種の「台間機番号」に割り当てられる。
これに対し、「キャンセル待ち確定」が存置され「本確定」しなかった予約機種データ（「キャンセル待ち確定」が「１」である予約機種データ）、及び、「キャンセル待ち」が未確定の予約機種データ（「キャンセル待ち」が「１」である予約機種データ）については、この予約機種データに含まれる「携帯電話ＩＤ」が台間機−携帯電話ＩＤ割り当てデータベースに登録されず、「台間機番号」への割り当ても行われない。
【００６４】
開店時間になると、台予約管理装置５０は、台受付処理（ステップ１４）を実行する。
予約会員は、遊技店に入場すると、遊技機１０の座席にすわり、携帯電話９０を台間機２０のＩＤリーダ２２にかざす。これにより、携帯電話９０から「携帯電話ＩＤ」が読み取られ、「台間機番号」とともに台予約管理装置５０へ送信される。
台予約管理装置５０の制御手段５５は、台間機−携帯電話ＩＤ割り当てデータベースを参照し、受信された「携帯電話ＩＤ」を検索する。
【００６５】
検索の結果、台間機−携帯電話ＩＤ割り当てデータベースに「携帯電話ＩＤ」が登録されており、この「携帯電話ＩＤ」に関連付けられた「台間機番号」の一つが受信された「台間機番号」と同じであるときは、該「台間機番号」の示す台間機２０での玉貸しが解除される。これにより、予約会員は、「本確定」した機種Ａの遊技機１０で遊技を行うことができる。
一方、台間機−携帯電話ＩＤ割り当てデータベースに「携帯電話ＩＤ」が登録されていないときは、台間機２０からの玉貸しが解除されない（拒否される）。これにより、予約会員は、キャンセル待ちした機種Ａの遊技機１０で遊技を行うことができない。この場合、その予約会員は、開店後所定時間が経過するまでは遊技できないことになる。
【００６６】
（II−23）予約会員が本予約とキャンセル待ちの両方を行った場合
台予約処理（ステップ１１）において、予約会員は、機種Ａの予約を行おうとしたものの、機種Ａに対する他の予約会員からの本予約数が予約限度数に達しているために予約できなかったときは、その機種Ａについてキャンセル待ちをし、さらに別の機種Ｂについて予約をすることができる。この場合、予約会員は、携帯電話９０を操作して、「予約会員ＩＤ」、「予約日」、「キャンセル待ちをする機種」、「予約機種」を入力し、それら「予約会員ＩＤ」等を台予約要求として、台予約管理装置５０へ送信する。
【００６７】
台予約管理装置５０の制御手段５５は、台予約要求に含まれる「予約日」の予約機種確定データベースを検索し、その台予約要求に含まれる「予約会員ＩＤ」及び「キャンセル待ちをする機種」を含む予約機種データを、該予約機種確定データベースに新しく追加するとともに、その台予約要求に含まれる「予約会員ＩＤ」及び「予約機種」を含む予約機種データを、該予約機種確定データベースに新しく追加する。なお、前者の予約機種データを機種Ａの予約機種データ、後者の予約機種データを機種Ｂの予約機種データというものとする。
【００６８】
また、その新しく追加される機種Ａの予約機種データの「予約機種」には、「キャンセル待ちをする機種」が格納され、図１４（ア）に示すように、「キャンセル待ち」と「複数予約」には、それぞれ「１」が格納される。そして、「本予約」、「キャンセル待ち確定」、「本予約仮確定」、「本確定」には、それぞれ「０」が格納される。これにより、予約会員が行った機種Ａのキャンセル待ちが、台予約管理装置５０の予約機種確定データベースに登録される。
さらに、新しく追加される機種Ｂの予約機種データの「予約機種」には、台予約要求に含まれていた「予約機種」が格納され、図１４（イ）に示すように、「本予約」と「複数予約」には、それぞれ「１」が格納される。そして、「キャンセル待ち」、「キャンセル待ち確定」、「本予約仮確定」、「本確定」には、それぞれ「０」が格納される。これにより、予約会員が行った機種Ｂの本予約が、台予約管理装置５０の予約機種確定データベースに登録される。
【００６９】
予約会員は、予約日の台予約確認端末受付時間内に遊技店へ行き、台予約確認端末７０を操作する。これにより、台予約確認処理（ステップ１２）が実行される。
この台予約確認処理において、予約会員が台予約確認端末７０のＩＤリーダ７６に携帯電話９０をかざすと、その携帯電話９０から「携帯電話ＩＤ」が読み取られ、台予約管理装置５０へ送信される。
台予約管理装置５０は、受信した「携帯電話ＩＤ」をキーとして予約機種確定データベースを検索し、その「携帯電話ＩＤ」を含む予約機種データが存在するか否かを判断する（予約の照合）。
【００７０】
判断の結果、その「携帯電話ＩＤ」を含む予約機種データが存在しているときは、制御手段５５は、図１４（ウ）に示すように、機種Ａの予約機種データの「キャンセル待ち」の「１」を「０」に変更し、「キャンセル待ち確定」の「０」を「１」に変更する。これにより、予約会員が行った機種Ａのキャンセル待ちが確定する。また、図１４（エ）に示すように、機種Ｂの予約機種データの「本予約」の「１」を「０」に変更し、「本予約仮確定」の「０」を「１」に変更する。これにより、予約会員が行った機種Ｂの本予約が仮確定する。なお、予約の照合の結果、その「携帯電話ＩＤ」を含む予約機種データが複数存在するか否かを確認するためには、該「携帯電話ＩＤ」を含む予約機種データの「複数予約」が「１」になっているか否かを確認すればよい。
【００７１】
これに対し、予約会員が予約日の台予約確認端末受付時間内に遊技店へ行かなかったときは、台予約確認処理（ステップ１２）が実行されない。このため、図１４（オ）に示すように、予約機種確定データベースにおいては、該予約会員の機種Ａの予約機種データの「キャンセル待ち」が「１」、「キャンセル待ち確定」が「０」のまま存置され、確定しない状態となる（キャンセル待ちの未確定）。また、図１４（カ）に示すように、予約機種確定データベースにおいては、該予約会員の機種Ｂの予約機種データの「本予約」が「１」、「本予約仮確定」が「０」のまま存置され、確定しない状態となる（本予約の未確定）。
【００７２】
予約会員が「キャンセル待ち確定」をした機種Ａについてキャンセルが発生すると、その予約会員は、台予約修正処理（ステップ１３）において、機種Ａを「本確定」することができる。
この場合、予約会員は、携帯電話９０を操作して、「キャンセル待ち確定」を「本確定」に変更する要求を、台予約管理装置５０へ送信する。
台予約管理装置５０の通信手段５１がその要求を受信すると、制御手段５５は、図１４（キ）に示すように、機種Ａの予約機種データの「キャンセル待ち確定」の「１」を「０」に変更し、「本確定」の「０」を「１」に変更する。これにより、予約会員がキャンセル待ちしていた機種Ａで遊技することができる。また、図１４（ク）に示すように、機種Ｂの予約機種データの「本予約仮確定」の「１」を「０」に変更する。これにより、予約会員による機種Ｂの本予約を取り消して、複数台での遊技を防止することができる。
【００７３】
これに対し、予約会員が「キャンセル待ち確定」をした機種Ａについてキャンセルが発生しなかったときは、台予約修正処理（ステップ１３）が実行されない。このため、図１４（ケ）に示すように、予約機種確定データベースにおいては、該予約会員の予約機種データの「キャンセル待ち確定」が「１」、「本確定」が「０」のまま存置され、キャンセル待ちしていた機種Ａでの遊技ができない状態となる。ただし、図１４（コ）に示すように、機種Ｂの予約機種データの「本予約仮確定」が「１」のまま存置されるので、予約会員は、この機種Ｂで遊技することができる。
また、予約会員が予約日の台予約確認端末受付時間内に遊技店へ行かなかったときは、台予約修正処理（ステップ１３）が実行されない。このため、予約機種確定データベースにおいては、機種Ａの予約機種データが、図１４（オ）に示す状態で存置されるので、キャンセル待ちしていた機種Ａでの遊技ができない状態となる。さらに、機種Ｂの予約機種データが、図１４（カ）に示す状態で存置されるので、本予約した機種Ｂでの遊技もできない状態となる。
【００７４】
台予約修正処理の受付可能時間が終了すると、台予約管理装置５０は、台間機−識別情報割当処理を実行する。
ここで、「キャンセル待ち確定」から「本確定」に変更した予約機種データ（「本確定」が「１」である機種Ａの予約機種データ）については、この予約機種データに含まれる「携帯電話ＩＤ」が、台間機−携帯電話ＩＤ割り当てデータベースにおいて機種Ａの「台間機番号」に割り当てられる。なお、この場合、機種Ｂの予約機種データは、「本予約仮確定」が「０」であるので、台間機−携帯電話ＩＤ割り当てデータベースにおいて機種Ｂの「台間機番号」に割り当てられない。
【００７５】
これに対し、「キャンセル待ち」が未確定の予約機種データ（「キャンセル待ち」が「１」である機種Ａの予約機種データ）、及び、「キャンセル待ち」が確定したままの予約機種データ（「キャンセル待ち確定」が「１」である機種Ａの予約機種データ）については、台間機−携帯電話ＩＤ割り当てデータベースに登録されず、「携帯電話ＩＤ」の「台間機番号」への割り当ても行われない。
また、「本予約仮確定」が「１」である機種Ｂの予約機種データについては、この予約機種データに含まれる「携帯電話ＩＤ」が、台間機−携帯電話ＩＤ割り当てデータベースにおいて機種Ｂの「台間機番号」に割り当てられる。
【００７６】
開店時間になると、台予約管理装置５０は、台受付処理（ステップ１４）を実行する。
予約会員は、遊技店に入場すると、遊技機１０の座席にすわり、携帯電話９０を台間機２０のＩＤリーダ２２にかざす。これにより、携帯電話９０から「携帯電話ＩＤ」が読み取られ、台予約管理装置５０へ送信される。
台予約管理装置５０の制御手段５５は、台間機−携帯電話ＩＤ割り当てデータベースを参照し、受信された「携帯電話ＩＤ」を検索する。
検索の結果、台間機−携帯電話ＩＤ割り当てデータベースに「携帯電話ＩＤ」が登録されているときは、台間機２０からの玉貸しが解除される。これにより、予約会員は、「本確定」した機種Ａ又は「本予約仮確定」した機種Ｂの遊技機１０で遊技を行うことができる。
一方、台間機−携帯電話ＩＤ割り当てデータベースに「携帯電話ＩＤ」が登録されていないときは、台間機２０からの玉貸しが解除されない（拒否される）。これにより、予約会員は、「キャンセル待ち」した機種Ａ又は「本予約」した機種Ｂの遊技機１０で遊技を行うことができない。この場合、その予約会員は、開店後所定時間が経過するまでは遊技できないことになる。
【００７７】
（II−３）予約会員登録処理
予約会員登録処理とは、遊技者が予約会員に登録する際にホール管理装置４０等で実行される処理をいう。
この予約会員登録処理について、図１５を参照して説明する。同図は、予約会員登録処理の手順を示す動作手順図である。
【００７８】
予約会員になろうとする者（予約会員希望者）は、まず、所定の申込用紙に必要事項を記入する。申込用紙には、少なくとも暗証番号を記入する欄がある。また、申込用紙には、携帯電話のメールアドレスを記入する欄を設けることができる。さらに、申込用紙には、その予約会員希望者の氏名や性別などを記入する欄を設けることもできる。
【００７９】
予約会員希望者は、必要事項を記入した申込用紙を、遊技店のカウンタにいる店員に渡す。店員は、その申込用紙に記入された事項を、予約会員登録データとして、カウンタに設置された会員登録装置（例えば、ＰＯＳ端末など、図示せず）に入力する（図１５のステップ２０）。
また、店員は、予約会員希望者に対し、その予約会員希望者が所持する携帯電話９０を、会員登録装置に接続されたＩＤリーダ（図示せず）に近づけるように指示する。
予約会員希望者は、自身が所持する携帯電話９０をＩＤリーダに近づける。すると、ＩＤリーダは、携帯電話９０から「携帯電話ＩＤ」を読み取り（ステップ２１）、会員登録装置へ送る。
【００８０】
ここで、「携帯電話ＩＤ」とは、携帯電話に固有の識別番号をいう。この「携帯電話ＩＤ」には、例えば、携帯電話に内蔵されたFeliCaチップ（FeliCaは、登録商標）に固有のシリアルナンバーであるＩＤｍなどを用いることができる。
なお、本実施形態においては、予約会員登録データの一つとして「携帯電話ＩＤ」を用いるが、「携帯電話ＩＤ」に限るものではなく、遊技者の有する記録媒体に固有の識別番号であって、遊技場システム１を構成する装置のうちの一以上の装置が読み取り可能なもの、例えば、会員カードに記憶された「本会員カードＩＤ」を用いることもできる。この「本会員カードＩＤ」を用いた例については、第二実施形態で説明する。
【００８１】
会員登録装置は、ＩＤリーダから送られてきた「携帯電話ＩＤ」と店員が入力した予約会員登録データとを関連付け、これらを予約会員登録データとして、ホール管理装置４０へ送信する（ステップ２２）。ホール管理装置４０の通信手段４１は、会員登録装置から予約会員登録データを受信する（ステップ２３）。
ホール管理装置４０の制御手段４５は、記憶手段４２に記憶された予約会員データベースの中に、その受信された予約会員登録データに含まれている「携帯電話ＩＤ」が既に存在しているか否かを判断する（ステップ２４）。
判断の結果、予約会員データベースの中に受信された「携帯電話ＩＤ」が存在しているときは、既に予約会員に登録されていることを示す既登録通知を、会員登録装置へ送信する（ステップ２５）。会員登録装置は、その既登録通知の内容を画面表示する（ステップ２６）。店員は、その画面表示を確認すると、その予約会員希望者に対して、既に予約会員に登録されていることを告げる。
【００８２】
一方、予約会員データベースの中に受信された「携帯電話ＩＤ」が存在しないときは、制御手段４５は、その予約会員希望者に対する「予約会員ＩＤ」を生成し、その予約会員希望者の予約会員登録データに関連付けて、記憶手段４２の予約会員データベースに記憶させる（予約会員ＩＤの付与・記憶、ステップ２７）。これにより、予約会員希望者は、予約会員としてホール管理装置４０に登録される。
また、制御手段４５は、生成した「予約会員ＩＤ」を、予約登録データの全部又は一部（例えば、携帯電話ＩＤ）とともに会員登録装置へ送信する（ステップ２８）。会員登録装置は、それら「予約会員ＩＤ」等を受信すると（ステップ２９）、これを画面表示するとともに、その「予約会員ＩＤ」を含む所定事項を印刷装置（図示せず）に印字出力させる（ステップ３０）。店員は、その「予約会員ＩＤ」等が印字された紙をその予約会員希望者に渡す。なお、会員登録装置は、「予約会員ＩＤ」を予約会員カードに記憶させ、この予約会員カードを発行するようにすることもできる。
【００８３】
さらに、ホール管理装置４０の制御手段４５は、予約会員データベースに今回新たに登録された予約会員登録データを記憶手段４２から取り出し、通信手段４１を介して台予約管理装置５０へ送信する（ステップ３１）。
台予約管理装置５０の通信手段５１は、その予約会員登録データを受信する。制御手段５５は、その予約会員登録データを、記憶手段５２に記憶されていた予約会員データベースに追加して更新し、記憶手段５２に記憶させる（ステップ３２）。これにより、ホール管理装置４０と台予約管理装置５０は、同じデータで構成された予約会員データベースをそれぞれ記憶することができる。
【００８４】
（II−４）台予約処理
台予約処理とは、予約会員が、遊技を行おうとする日前に、自身が所持する遊技者端末機９０を用いて、遊技機１０を予約する処理をいう。
以下、台予約処理について、図１６、図１７を参照して説明する。図１６は、遊技場システム１が台予約処理を実行する手順を示すフローチャートである。図１７は、台予約処理において遊技者端末機９０と台予約管理装置５０との間で実行される処理の手順を示す動作手順図である。
なお、この台予約処理で予約する対象は、一台の遊技機１０とすることもでき、あるいは、複数台の遊技機１０で構成される機種やバラエティコーナーなどの「特定遊技機コーナー」とすることもできる。ただし、本実施形態においては、予約の対象を機種として説明する。
【００８５】
台予約管理装置５０の記憶手段５２は、予め予約会員データベース（図５参照）と、機種−台間機割り当てデータベース（図６参照）と、予約機種確定データベース（図７参照）とを記憶している。
また、台予約管理装置５０は、該遊技場システム１が構築された遊技店のウエブサイトを開設している。
【００８６】
遊技者端末機９０の通信手段９１は、この遊技者端末機９０を所持する予約会員が入力手段９４を操作することにより、台予約管理装置５０が開設しているサイトにアクセスする（図１７のステップ６０）。
台予約管理装置５０の通信手段５１は、アクセスしてきた遊技者端末機９０に対して、サイトのウエブページを送信する。
遊技者端末機９０の通信手段９１は、送信されてきたウエブページを受信し、表示手段９３は、そのウエブページを表示する（図１６のステップ４０、図１７のステップ６１）。
遊技者端末機９０の入力手段９４は、予約会員の操作により、ウエブページ上の指示にしたがって「予約会員ＩＤ」を入力する。そして、通信手段９１は、その「予約会員ＩＤ」を予約会員照合要求として、台予約管理装置５０へ送信する（図１６のステップ４１、図１７のステップ６２）。
【００８７】
台予約管理装置５０の通信手段５１は、遊技者端末機９０から送信されてきた予約会員照合要求を受信する。
台予約管理装置５０の制御手段５５は、記憶手段５２の予約会員データベースを参照し、その受信された予約会員照合要求に含まれている「予約会員ＩＤ」が予約会員データベースに登録されているか否かを判断する（予約会員照合、図１６のステップ４２、図１７のステップ６３）。
判断の結果、「予約会員ＩＤ」が予約会員データベースに登録されていないときは、登録されていないことを示す会員非登録通知を、遊技者端末機９０に送信する（図１６のステップ４３）。遊技者端末機９０は、その会員非登録通知を受信して、その内容を表示手段９３に表示する。
【００８８】
なお、図１６においては、会員非登録通知（ステップ４３）を実行すると、台予約処理を終了することとしてあるが、これに限るものではなく、例えば、会員非登録通知の内容を表示した遊技者端末機９０において、「予約会員ＩＤ」を再度入力し、これを台予約管理装置５０へ送信して会員照合を行わせるようにしてもよい。この場合、「予約会員ＩＤ」の入力回数の上限を設けることもできる。
【００８９】
一方、「予約会員ＩＤ」が予約会員データベースに登録されているときは、続いて、制御手段５５は、遊技者端末機９０に対して予約会員専用ページへのアクセスを許可し、通信手段５１を介して予約会員専用ページを遊技者端末機９０へ送信する（図１７のステップ６４）。
遊技者端末機９０の通信手段９１は、送信されてきた予約会員専用ページを受信し、表示手段９３は、その予約会員専用ページを表示する（ステップ６５）。入力手段９４は、予約会員専用ページの指示内容にしたがって、予約会員の操作により、遊技を行おうとする日（予約希望日）を入力する。通信手段９１は、入力された「予約希望日」を台予約要求として、台予約管理装置５０へ送信する。
【００９０】
台予約管理装置５０の通信手段５１が、台予約要求を受信すると（図１６のステップ４４）、制御手段５５は、その台予約要求に含まれている「予約希望日」にもとづいて、その台予約要求を受信した日時が台予約受付可能時間内であるか否かを判断する（図１６のステップ４５）。台予約受付可能時間とは、予約会員が台予約を行うことができる時間をいう。具体的には、例えば、「予約希望日の前日２４時まで」などのように設定することができる。
判断の結果、台予約要求を受信した日時が台予約受付可能時間内でないとき（例えば、台予約要求を受信した日が、予約希望日の当日であるとき）は、台予約処理を終了する。この場合、台予約受付可能時間でないので台予約が行えないことを、遊技者端末機９０の表示手段９３に表示させることができる。
【００９１】
一方、台予約要求を受信した日時が台予約受付可能時間内であるときは、次いで、制御手段５５は、記憶手段５２に記憶されている予約機種確定データベースのうち、台予約要求に含まれていた「予約希望日」の予約機種確定データベースを参照し、予約会員照合要求に含まれていた「予約会員ＩＤ」がその予約機種確定データベースに登録されているか否か、そして、登録されている場合は、その登録されている「予約会員ＩＤ」に関連付けられた「本予約」が「１」であるか否かを判断する（ステップ４６）。
判断の結果、「予約会員ＩＤ」が予約機種確定データベースに登録されており、かつ、その「予約会員ＩＤ」に関連付けられた「本予約」が「１」であるときは、台予約処理を終了する。このステップ４６の判断は、一人の予約会員が同じ「予約希望日」において複数の機種に「本予約」をするのを防止するために実行される。
【００９２】
なお、予約会員ＩＤに関連付けられた「キャンセル待ち」が「１」を示すものである場合でも、「本予約」が「１」でないとき（「本予約」が「０」のとき）は、ステップ４６の判断の結果は、「本予約済み」にならない。
また、図１６において、ステップ４６の判断の結果がＹｅｓの場合は、台予約処理を終了することとしてあるが、これに限るものではなく、例えば、遊技者端末機９０において、別の「予約希望日」を再度入力し、これを台予約管理装置５０へ送信し、この再度入力した内容で図１６のステップ４４以降（図１７のステップ６６以降）の処理を実行するようにしてもよい。
さらに、ステップ４６の判断の結果がＹｅｓの場合には、台予約管理装置５０は、その判断結果（台予約要求の示す日に既に本予約がなされていること）を遊技者端末機９０に送信することができる。そして、遊技者端末機９０は、その判断結果を画面表示することができる。
【００９３】
一方、「予約会員ＩＤ」が予約機種確定データベースに登録されていないとき、又は、登録されているものの「予約会員ＩＤ」に関連付けられた「本予約」が「１」でないとき（「本予約」が「０」であるとき）は、制御手段５５は、予約機種の入力画面を、通信手段５１を介して遊技者端末機９０へ送信する。
遊技者端末機９０の通信手段９１は、予約機種の入力画面を受信する。表示手段９３は、その予約機種の入力画面を表示する。入力手段９４は、予約会員の操作により、予約機種の入力画面の指示内容にしたがって「予約機種」を入力する（図１６のステップ４７）。通信手段９１は、その入力された「予約機種」を、予約機種要求として台予約管理装置５０へ送信する（予約機種等入力・送信、図１７のステップ６６）。
【００９４】
台予約管理装置５０の通信手段５１は、予約機種要求を受信する。制御手段５５は、「予約希望日」の予約機種確定データベースを参照し、受信された予約機種要求に含まれている「予約機種」が、他の予約会員から本予約されているか否かを確認し、該「予約機種」の予約残数が０であるか否か、すなわち、他の予約会員からの本予約総数が該「予約機種」の予約限度数に達しているか否かを判断する（ステップ４８）。
判断の結果、該「予約機種」の予約残数が０ではないとき（他の予約会員からの該「予約機種」の本予約総数が予約限度数に達していないとき）は、制御手段５５は、その予約機種確定データベースに、予約会員照合要求に含まれていた「予約会員ＩＤ」と、予約機種要求に含まれていた「予約機種」とを新たに追加し、「予約順」を付与し、予約会員データベースを参照して「携帯電話ＩＤ」を追加し、機種−台間機割り当てデータベースを参照して「割り当て台間機番号」を追加し、「本予約」を「１」に変更して、記憶手段５２に記憶させる（予約機種確定データベースの更新、図１６のステップ４９、図１７のステップ６７）。
【００９５】
なお、この予約機種確定データベースの更新において、新たに追加された「予約会員ＩＤ」に関連付けて、「キャンセル待ち」、「キャンセル待ち確定」、「本予約仮確定」、「本確定」が、それぞれ「０」に設定される。つまり、図１６のステップ４９、図１７のステップ６７の実行により、予約会員が希望する「予約機種」についての「本予約」が予約機種確定データベースに登録される。
そして、台予約管理装置５０の通信手段５１は、台予約要求（予約希望日）及び予約機種要求（予約機種）の内容で本予約ができたことを予約結果として遊技者端末機９０へ送信する。遊技者端末機９０の通信手段９１は、その予約結果を受信し、表示手段９３は、予約結果の内容を画面表示する。
【００９６】
一方、該「予約機種」の予約残数が０であるとき（他の予約会員からの該「予約機種」の本予約総数が予約限度数に達しているとき）は、通信手段５１は、その該「予約機種」について予約残数がないために本予約ができないことを示す予約不可通知を遊技者端末機９０へ送信する（図１７のステップ６８）。遊技者端末機９０の通信手段９１は、その予約不可通知を受信し、表示手段９３は、その予約不可通知の内容を画面表示する（ステップ６９）。
続いて、表示手段９３は、キャンセル予約を行うか否かを予約会員に入力させるキャンセル予約確認画面を表示する。この表示内容にしたがって、予約会員は、「キャンセル予約を行う」又は「キャンセル予約を行わない」のいずれか一方を、入力手段９４の操作により選択する。遊技者端末機９０の通信手段９１は、その選択された内容をキャンセル要求として、台予約管理装置５０へ送信する（ステップ７０）。
【００９７】
台予約管理装置５０の通信手段５１は、キャンセル要求を受信する（ステップ７１）。制御手段５５は、そのキャンセル要求の内容が「キャンセル予約を行う」又は「キャンセル予約を行わない」のいずれを示しているかを判断する（図１６のステップ５０）。
判断の結果、キャンセル要求の内容が「キャンセル予約を行う」であるときは、制御手段５５は、予約機種確定データベースに、予約会員照合要求に含まれていた「予約会員ＩＤ」と、予約機種要求に含まれていた「予約機種」とを新たに追加し、「予約順」を付与し、予約会員データベースを参照して「携帯電話ＩＤ」を追加し、機種−台間機割り当てデータベースを参照して「割り当て台間機番号」を追加し、「キャンセル待ち」を「１」に変更し、「キャンセル待ち番号」を付与して、記憶手段５２に記憶させる（予約機種確定データベースの更新、図１６のステップ５１、図１７のステップ７２）。
なお、この予約機種確定データベースの更新において、新たに追加された「予約会員ＩＤ」に関連付けて、「本予約」、「キャンセル待ち確定」、「本予約仮確定」、「本確定」が、それぞれ「０」に設定される。つまり、図１６のステップ５１、図１７のステップ７２の実行により、予約会員が希望する「予約機種」についての「キャンセル待ち」が予約機種確定データベースに登録される。
【００９８】
一方、キャンセル要求の内容が「キャンセル予約を行わない」であるときは、予約機種確定データベースを更新しない。
そして、ステップ５１（ステップ７２）の予約機種確定データベースの更新後、又は、ステップ５０の判断の結果がＮｏであるときは、制御手段５５は、他の予約機種の入力確認画面を、通信手段５１を介して遊技者端末機９０へ送信する。
遊技者端末機９０の通信手段９１は、他の予約機種の入力確認画面を受信する。表示手段９３は、他の予約機種の入力確認画面を表示する。入力手段９４は、予約会員の操作により、他の予約機種の入力確認画面の指示内容にしたがって、「他の機種を予約する」又は「他の機種を予約しない」のいずれかを選択する（図１６のステップ５２）。通信手段９１は、選択結果を台予約管理装置５０へ送信する。
【００９９】
台予約管理装置５０の通信手段５１は、その選択結果を受信する。制御手段５５は、その選択結果が「他の機種を予約する」又は「他の機種を予約しない」のいずれを示しているかを判断する（図１６のステップ５２）。
判断の結果、選択結果が「他の機種を予約しない」を示しているときは、台予約処理を終了する。
一方、選択結果が「他の機種を予約する」を示しているときは、制御手段５５は、通信手段５１を介して予約機種入力画面を遊技者端末機９０へ送信する。
遊技者端末機９０の通信手段９１は、予約機種入力画面を受信する。表示手段９３は、予約機種入力画面を表示する。そして、図１６のステップ４７以降の処理（図１７のステップ６６以降の処理）を実行する。
【０１００】
この台予約処理を実行することで、予約会員は、自身が所持する遊技者端末機９０を操作して、「予約希望日」における所望の機種の本予約又はキャンセル待ちを行うことができる。
また、図１６のステップ５２の判断処理において「Ｙｅｓ」を実行することにより、予約会員は、ステップ５０の判断で一の機種についてキャンセル待ちをすることとしたときでも、他の機種の本予約を行うことができる。また、ステップ５０の判断で一の機種についてキャンセル待ちをしないこととしたときに、他の機種の本予約を行うことができる。なお、一の予約会員が複数機種に対して本予約やキャンセル待ちを行ったときは、それら各機種の予約機種データの「複数予約」に「１」が設定される。
また、本実施形態においては、図１６のステップ５２を実行することで、複数の機種に対してキャンセル待ちを行えるようにしているが、これに限るものではなく、キャンセル待ちが行える機種の数を限定することもできる。
【０１０１】
（II−５）台予約確認処理
台予約確認処理とは、予約した日の開店前所定時間までに、予約会員が遊技店に来て台予約確認端末７０を操作し、その予約会員が行った「本予約」又は「キャンセル待ち」の確定又は仮確定を行う処理をいう。
以下、台予約確認処理について、図１８、図１９を参照して説明する。図１８は、遊技場システム１にて実行される台予約確認処理の手順を示すフローチャートである。図１９は、台予約確認端末７０と台予約管理装置５０との間で送受信されるデータの流れを示す動作手順図である。
【０１０２】
台予約確認端末７０の表示手段７３は、台予約の確認を受け付けるオープニング画面を表示する（図１８のステップ８０）。このオープニング画面には、少なくとも台予約の確認開始ボタン（入力手段７４）を表示することができる。
予約会員の操作により、台予約の確認開始ボタンが押されると（台予約確認端末受付、ステップ８１）、台予約確認端末７０の制御手段７５は、その確認開始ボタンが押された時間が、台予約確認端末受付時間内であるか否かを判断する（ステップ８２）。台予約確認端末受付時間とは、台予約確認端末７０において台予約の確認操作ができる時間帯をいう。この台予約確認端末受付時間は、例えば、「開店３０分前まで」や「午前７時から午前９時３０分まで」のように設定することができる。
【０１０３】
判断の結果、確認開始ボタンが押された時間が台予約確認端末受付時間内でないときは、台予約確認端末受付時間になるまで待機する。このとき、台予約確認端末受付時間内でないことを示すメッセージを表示手段７３に表示することができる。
一方、確認開始ボタンが押された時間が台予約確認端末受付時間内であるときは、続いて、表示手段７３は、予約会員に対して該予約会員が所持する携帯電話をＩＤリーダ７６にかざすように指示するＩＤ読取画面を表示する（ステップ８３）。
ＩＤリーダ７６は、かざされた携帯電話９０から「携帯電話ＩＤ」を読み取る（ステップ８４）。通信手段７１は、その読み取られた「携帯電話ＩＤ」を台予約管理装置５０へ送信する（図１９のステップ１００）。
【０１０４】
台予約管理装置５０の通信手段５１は、「携帯電話ＩＤ」を受信する（ステップ１０１）。制御手段５５は、記憶手段５２に記憶されている予約機種確定データベースを参照し、受信された「携帯電話ＩＤ」が予約機種確定データベースに登録されているか否かを判断する（図１８のステップ８５（予約データ参照）、図１９のステップ１０２（照合））。
判断の結果、「携帯電話ＩＤ」が予約機種確定データベースに登録されていないときは（図１８のステップ８６のＮｏ）、制御手段５５は、その登録されていなかったことを示す照合結果を、非登録通知として、通信手段５１を介して台予約確認端末７０へ送信する（図１９のステップ１０３）。台予約確認端末７０の通信手段５１は、その非登録通知を受信する（ステップ１０４）。表示手段７３は、その非登録通知の内容を画面表示する。
【０１０５】
なお、このように「携帯電話ＩＤ」が予約機種確定データベースに登録されていなかった場合は（図１８のステップ８６のＮｏ）、以降、同じ日に同一の「携帯電話ＩＤ」がＩＤリーダ７６で読み取られても、照合処理（図１８のステップ８５、図１９のステップ１０２）を実行せず、オープニング画面の表示（図１８のステップ８０）に戻るようにすることができる。
また、同一人による「携帯電話ＩＤ」の照合の機会を所定回数実行可能とすることもできる。
【０１０６】
一方、「携帯電話ＩＤ」が予約機種確定データベースに登録されているときは（図１８のステップ８６のＹｅｓ）、制御手段５５は、その「携帯電話ＩＤ」を含む予約機種データを抽出する。ここで、制御手段５５は、その抽出した予約機種データの「複数予約」が「１」になっているか否かを確認する。確認の結果、「複数予約」が「１」になっているときは、既に抽出した予約機種データの「携帯電話ＩＤ」と同じ「携帯電話ＩＤ」を含む他の予約機種データを予約機種確定データベースからすべて抽出する。一方、「複数予約」が「１」になっていないとき（「複数予約」が「０」のとき）は、他の予約機種データの抽出を行う必要はない。
続いて、制御手段５５は、抽出した一又は二以上の予約機種データの中に「キャンセル待ち」が「１」になっている予約機種データがあるか否かを判断する（キャンセル待ちあり？、ステップ８７）。
【０１０７】
判断の結果、抽出した一又は二以上の予約機種データの中に「キャンセル待ち」が「１」になっている予約機種データがない場合は（ステップ８７のＮｏ）、それら予約機種データの「本予約」を「１」から「０」に変更し、「本確定」を「０」から「１」に変更する（予約機種データの確定、ステップ８８）。これにより、「キャンセル待ち」を行わず「本予約」のみ行った場合において、その「本予約」を「本確定」することができる。なお、ステップ８７の判断の結果が「Ｎｏ」になる場合とは、ステップ８６での「Ｙｅｓ」の判断後の予約機種データの抽出において、「本予約」が「１」であり「複数予約」が「０」である予約機種データが一つのみ抽出された場合に限られる。その理由は、「本予約」を複数行うことはできないことと、同一の「携帯電話ＩＤ」を含む予約機種データが複数あるときは、それら複数の予約機種データの中に「キャンセル待ち」が「１」である予約機種データが必ず一以上含まれるからである。
そして、制御手段５５は、「本予約」が「本確定」したことを示す予約機種確定通知を、通信手段５１を介して台予約確認端末７０へ送信する（図１９のステップ１０５）。台予約確認端末７０の通信手段７１は、その予約機種確定通知を受信する（ステップ１０６）。表示手段７３は、その予約機種確定通知の内容を表示する。
【０１０８】
一方、抽出した一又は二以上の予約機種データの中に「キャンセル待ち」が「１」になっている予約機種データがある場合は（ステップ８７のＹｅｓ）、制御手段５５は、その予約機種データの「キャンセル待ち」を「１」から「０」に変更し、「キャンセル待ち確定」を「０」から「１」に変更する（キャンセル待ち確定、ステップ８９）。これにより、「キャンセル待ち」を「確定」することができる。なお、「キャンセル待ち」が「１」になっている予約機種データが複数ある場合は、それら複数の予約機種データのすべてに対してステップ８９の処理を実行する。
続いて、制御手段５５は、抽出した一又は二以上の予約機種データの中に「本予約」が「１」になっている予約機種データがあるか否かを判断する（本予約あり？、図１８のステップ９０）。
【０１０９】
判断の結果、抽出した一又は二以上の予約機種データの中に「本予約」が「１」になっている予約機種データがあるときは（図１８のステップ９０のＹｅｓ）、制御手段５５は、その予約機種データの「本予約」を「１」から「０」に変更し、「本予約仮確定」を「０」から「１」に変更する（ステップ９１）。これにより、一の機種について「キャンセル待ち」を行い、他の機種について「本予約」を行った場合において、その「本予約」を「本予約仮確定」とすることができる。
そして、制御手段５５は、「キャンセル待ち」が「キャンセル待ち確定」し、「本予約」が「本予約仮確定」したことを示す本予約機種仮確定通知を、通信手段５１を介して台予約確認端末７０へ送信する（図１９のステップ１０７）。台予約確認端末７０の通信手段７１は、その本予約機種仮確定通知を受信する（ステップ１０８）。表示手段７３は、その本予約機種仮確定通知の内容を表示する。
【０１１０】
一方、抽出した一又は二以上の予約機種データの中に「本予約」が「１」になっている予約機種データがないときは（図１８のステップ９０のＮｏ）、制御手段５５は、「キャンセル待ち」が「キャンセル待ち確定」したことを示すキャンセル待ち登録通知を、通信手段５１を介して台予約確認端末７０へ送信する（図１９のステップ１０９）。台予約確認端末７０の通信手段７１は、そのキャンセル待ち登録通知を受信する（ステップ１１０）。表示手段７３は、そのキャンセル待ち登録通知の内容を表示する。
【０１１１】
なお、ステップ８８の「予約機種データ確定」と、ステップ９１の「本予約機種データ仮確定」とは、次の点で相違する。
ステップ８８の「予約機種データ確定」は、予約会員が、例えば機種Ａの本予約を行った場合であって、他の機種のキャンセル待ちを行わなかったときに発生する処理である。これは、予約会員が機種Ａの遊技を希望しており、他の機種の遊技を希望していないことを意味する。この「予約機種データ確定」が実行されたことで、予約会員は、その予約が確定した機種Ａにより遊技を行うことができる。
【０１１２】
これに対し、ステップ９１の「本予約機種データ仮確定」は、予約会員が、例えば機種Ａの「キャンセル待ち」を行うとともに、他の機種Ｂの「本予約」を行った場合に発生する処理である。これは、予約会員が機種Ａの遊技を最も希望するものの、「本予約」ができなかったために「キャンセル待ち」をし、さらに、機種Ｂを「本予約」しておいて、最低限機種Ｂにより遊技が行えるようにしたものである。この「本予約機種データ仮確定」が実行されたことで、予約会員は、「本予約」が「本予約仮確定」した機種Ｂにより遊技を行うことが担保されたが、あくまで“仮の確定”であり、機種Ａの「キャンセル待ち」が「本確定」となれば、その「本予約仮確定」を取り消し、機種Ａにて遊技を行えるようにするものである。
【０１１３】
また、台予約確認処理においては、台予約確認端末受付時間の終了時に実行される台予約確認確定処理が含まれる。
この台予約確認確定処理について、図２０を参照して説明する。同図は、開店前所定時間終了時に台予約管理装置５０にて実行される台予約確認確定処理の手順を示すフローチャートである。
【０１１４】
台予約管理装置５０の制御手段５５は、台予約確認端末７０の受付時間が終了したか否かを判断する（ステップ１２０）。
判断の結果、台予約確認端末７０の受付時間が終了していないときは、台予約確認端末７０の受付時間が終了するまで待機する。
一方、台予約確認端末７０の受付時間が終了したときは、制御手段５５は、記憶手段５２に記憶されている予約機種確定データベースを参照し、この予約機種確定データベースに登録されている予約機種データを再設定する（ステップ１２１）。
【０１１５】
この予約機種データの再設定においては、キャンセル数の確認と、キャンセル待ち順の付与が実行される。
【０１１６】
(キャンセル数の確認)
制御手段５５は、予約機種確定データベースを参照し、機種ごとに、「本確定」が「１」の予約機種データの数と、「本予約仮確定」が「１」の予約機種データの数を算出（カウント）し、これらを加算する。次いで、この加算で得られた和を、該機種の予約限度数から減算し、この減算で得られた差を、該機種のキャンセル数とする。これは、「本予約」を行った予約会員が台予約処理（ステップ１１）を実行しなかったために（予約日の開店前所定時間までに遊技店に来て台予約確認装置７０で操作をしなかったために）、その「本予約」が「本確定」又は「本予約仮確定」にならなかったとき、これを該機種のキャンセルとするものである。
【０１１７】
(キャンセル待ち順の付与)
制御手段５５は、予約機種確定データベースを参照し、「キャンセル待ち確定」が「１」である予約機種データの「キャンセル待ち順」に、機種ごとのキャンセル待ちの順番を、「予約順」にしたがって付与していく。
ここで、機種ごとに一の数列を与える。例えば、機種「ＣＲ：ａａａ」について「１」，「２」，「３」，「４」，「５」，・・・を付与し、機種「ＣＲ：ｂｂｂ」について「１」，「２」，「３」，「４」，「５」，・・・を付与し、機種「ＣＲ：ｃｃｃ」について「１」，「２」，「３」，「４」，「５」，・・・を付与していく。
【０１１８】
制御手段５５は、キャンセル待ち順のうち「１」からキャンセル数までの数に対して、「※」などの記号（キャンセル発生記号）を付すことができる。例えば、機種「ＣＲ：ａａａ」について、「キャンセル待ち確定」が「１」である予約機種データの数が「８」であり、キャンセル数が「３」であるときは、図２１に示すように、キャンセル待ちの順番を「※１」，「※２」，「※３」，「４」，「５」，「６」，「７」，「８」のように付与することができる。
これは、同じ「キャンセル待ち確定」でも、台予約確認処理（ステップ１２）を実行することにより「本確定」となるものと、さらにキャンセルが発生しなければ「本確定」にならないものとを区別するために行われる。ただし、「キャンセル待ち順」ではなく、台予約確認処理の実行順（早い者勝ち）で、その「キャンセル待ち確定」を「本確定」にできるものとするときは、キャンセル発生記号を表示する必要はない。
【０１１９】
（II−６）台予約修正処理
台予約修正処理とは、台予約確認端末７０の修正受付時間において、予約会員が遊技者端末機９０を操作して、「キャンセル待ち確定」した機種にキャンセルが発生しているか否かを確認し、キャンセルが発生しているときは「キャンセル待ち確定」を「本確定」にして、その機種での遊技を可能とする処理をいう。
以下、台予約修正処理について、図２２、図２３を参照して説明する。図２２は、台予約確認端末７０の修正受付時間に遊技場システム１にて実行される台予約修正処理の手順を示すフローチャートである。図２３は、遊技者端末機（携帯電話）９０と台予約管理装置５０との間で送受信されるデータの流れを示す動作手順図である。
【０１２０】
遊技者端末機９０の通信手段９１は、この遊技者端末機９０を所持する予約会員が入力手段９４を操作することにより、台予約管理装置５０が開設しているサイトにアクセスする（図２３のステップ１４０）。
台予約管理装置５０の通信手段５１は、アクセスしてきた遊技者端末機９０に対して、サイトのウエブページを送信する。
遊技者端末機９０の通信手段９１は、そのウエブページを受信し、表示手段９３は、そのウエブページを表示する（ウエブページの表示、ステップ１４１）。
遊技者端末機９０の入力手段９４は、予約会員の操作により、ウエブページ上の指示にしたがって「予約会員ＩＤ」を入力する。そして、通信手段９１は、その「予約会員ＩＤ」をキャンセル待ち照合要求として、台予約管理装置５０へ送信する（ステップ１４２）。
【０１２１】
台予約管理装置５０の通信手段５１は、遊技者端末機９０から送信されてきたキャンセル待ち照合要求を受信する（ステップ１４３）。
台予約管理装置５０の制御手段５５は、そのキャンセル待ち照合要求を受信した日時が、台予約修正処理の受付可能時間内であるか否かを判断する（図２２のステップ１３０）。
台予約修正処理の受付可能時間とは、「キャンセル待ち確定」を「１」とした予約会員が遊技者端末機９０を操作して台予約管理装置５０にアクセスし、キャンセルの有無を確認するなどの台予約修正処理を実行できる時間をいう。具体的には、例えば、「開店１５分〜３０分前」などのように設定することができる。
【０１２２】
判断の結果、キャンセル待ち照合要求を受信した日時が台予約修正処理の受付可能時間ではないときは、台予約修正処理の受付可能時間になるまで待機する。なお、この場合は、台予約修正処理を終了し、キャンセル予約の修正を行えないようにすることができる。また、この場合、台予約修正処理の受付可能時間でないことを、遊技者端末機９０の表示手段９３に表示させることができる。
【０１２３】
一方、キャンセル待ち照合要求を受信した日時が台予約修正処理の受付可能時間内であるときは、次いで、台予約管理装置５０の制御手段５５は、記憶手段５２の予約機種確定データベースを参照し、キャンセル待ち照合要求として受信された「予約会員ＩＤ」が予約機種確定データベースに登録されているか否かを判断する（予約会員照合、図２２のステップ１３１、図２３のステップ１４４）。
判断の結果、「予約会員ＩＤ」が予約機種確定データベースに登録されていないときは（図２２のステップ１３１のＮｏ）、台予約修正処理を終了する。なお、この場合は、同一人による「予約会員ＩＤ」の入力の機会を所定回数実行可能とすることもできる。
【０１２４】
一方、「予約会員ＩＤ」が予約機種確定データベースに登録されているときは、続いて、制御手段５５は、その予約機種確定データベースを参照して、その「予約会員ＩＤ」を含む予約機種データをすべて抽出する。
次いで、制御手段５５は、抽出した予約機種データの中に「キャンセル待ち確定」が「１」の予約機種データがあるか否か（キャンセル待ちをしているか否か）を判断する（ステップ１３２）。
判断の結果、抽出した予約機種データの中に「キャンセル待ち確定」が「１」の予約機種データがないときは、台予約修正処理を終了する。
一方、抽出した予約機種データの中に「キャンセル待ち確定」が「１」の予約機種データがあるときは、制御手段５５は、続いて、その予約機種データの「キャンセル待ち順」を確認し、この「キャンセル待ち順」にキャンセル発生記号が付されているか否かを判断する（キャンセルあり？、ステップ１３３）。
【０１２５】
判断の結果、「予約会員ＩＤ」を含む予約機種データの「キャンセル待ち順」にキャンセル発生記号が付されているときは、制御手段５５は、その予約機種データの「キャンセル待ち確定」の「１」を「０」に変更する（図２２のステップ１３４、図２３のステップ１４５）。また、その予約機種データの「本確定」の「０」を「１」に変更する（図２２のステップ１３５、図２３のステップ１４６）。さらに、その予約機種データの「キャンセル待ち順」に格納された順番を削除する。これにより、「キャンセル待ち確定」を「本確定」にすることができる。なお、「キャンセル待ち順」に格納された順番の削除に伴い、該予約機種データに含まれる「予約機種」と同じ「予約機種」を含む他の予約機種データの「キャンセル待ち順」を付与しなおす。
一方、「予約会員ＩＤ」を含む予約機種データの「キャンセル待ち順」にキャンセル発生記号が付されていないときは、図２２のステップ１３４〜１３７、図２３のステップ１４５〜１４７の処理は実行しない。
【０１２６】
ステップ１３５にて予約機種データの「本確定」の「０」を「１」に変更したとき、制御手段５５は、続いて、抽出した予約機種データの中に「本予約仮確定」が「１」の予約機種データがあるか否かを判断する（図２２のステップ１３６）。
判断の結果、抽出した予約機種データの中に「本予約仮確定」が「１」の予約機種データがあるときは、その予約機種データの「本予約仮確定」の「１」を「０」に変更する（「本予約仮確定」の削除、図２２のステップ１３７、図２３のステップ１４７）。なお、この「本予約仮確定」の削除に伴い、該予約機種データに含まれる「予約機種」と同じ「予約機種」を含む他の予約機種データの「キャンセル待ち順」を付与しなおす。
一方、抽出した予約機種データの中に「本予約仮確定」が「１」の予約機種データがないときは、その予約機種データの「本予約仮確定」の変更は行わない。
【０１２７】
次いで、台予約管理装置５０の通信手段５１は、図２２のステップ１３４、ステップ１３５、ステップ１３７、図２３のステップ１４５〜ステップ１４７における処理の内容を予約結果として遊技者端末機９０へ送信する（図２３のステップ１４８）。遊技者端末機９０の通信手段９１は、予約結果を受信する（ステップ１４９）。そして、表示手段９３は、その予約結果の内容を画面表示する。
【０１２８】
このように台予約修正処理を実行することで、予約会員は、「キャンセル待ち確定」を「１」にした機種にキャンセルが発生しているか否かを、遊技者端末機９０を用いて容易に確認できる。そして、キャンセルが発生しているときは、「キャンセル待ち確定」を「本確定」にして、その機種で遊技を行うことができる。一方、キャンセルが発生していないときでも、「本予約仮確定」を「１」にしていたときは、この「本予約仮確定」した機種で遊技を行うことができる。
なお、図２３においては、遊技者端末機９０から台予約管理装置５０にアクセスする処理（ステップ１４０）から始まっているが、これに限るものではなく、例えば、台予約管理装置５０の制御手段５５が予約機種確定データベースを参照し、「キャンセル待ち順」のデータにキャンセル発生記号が付与されている予約機種データの予約会員に対し、キャンセルが発生していることを携帯電話９０に対してメールなどで知らせて、遊技店のウエブページへのアクセスを促すようにしてもよい。
【０１２９】
（II−63）台間機−識別情報割当処理
この台予約修正処理においては、台予約修正処理の受付可能時間の終了後に実行される台間機−識別情報割当処理が含まれる。
この台間機−識別情報割当処理について、図２４を参照して説明する。同図は、台予約管理装置５０にて実行される台間機−識別情報割当処理の手順を示すフローチャートである。
【０１３０】
台予約管理装置５０の制御手段５５は、台予約修正処理の受付可能時間が終了したか否かを判断する（図２４のステップ１５０）。台予約修正処理の受付可能時間の終了時は、例えば、「開店５分前」などのように設定することができる。
なお、台予約修正処理の受付可能時間の終了時と、台間機−識別情報割当処理の実行時とは、異なる時間とすることができる。例えば、台予約修正処理の受付可能時間を「開店１５分〜３０分前」などのように設定し、台間機−識別情報割当処理の実行時を「開店５分前」のように設定することができる。
【０１３１】
判断の結果、台予約修正処理の受付可能時間が終了していないときは、台予約修正処理の受付可能時間が終了するまで待機する。
一方、台予約修正処理の受付可能時間が終了したときは、制御手段５５は、台間機−携帯電話ＩＤ割り当てデータベース（図８参照）を作成する（ステップ１５１）。
すなわち、制御手段５５は、予約機種確定データベースを参照し、各機種ごとに、「本確定」が「１」である予約機種データと、「本予約仮確定」が「１」である予約機種データとを検索し、該当した予約機種データの「携帯電話ＩＤ」を確認（抽出）し、各機種の台間機番号と「携帯電話ＩＤ」を対応付けて台間機−携帯電話ＩＤ割り当てデータベースを作成する。
【０１３２】
ここで、一の機種について遊技機１０が複数台あるときは、それら遊技機１０に併設された台間機２０の台間機番号のそれぞれに、抽出した「携帯電話ＩＤ」を対応付ける。例えば、機種「ＣＲ：ａａａ」の遊技機１０が５台ある場合において、これら遊技機１０に併設された台間機２０の台間機番号が「００１」〜「００５」であるとき、抽出した「携帯電話ＩＤ」である「５４６９７５２Ｄ」を、それら台間機番号「００１」〜「００５」のそれぞれに対応付ける。また、抽出した「携帯電話ＩＤ」である「５９８１４３２Ｇ」、「３８６２４８６Ｈ」、「１９５４７６３Ｊ」、「８４２６６３１Ｓ」についても、台間機番号「００１」〜「００５」のそれぞれに対応付ける。このため、一つの台間機番号には、最大で一の機種に属する遊技機１０の数と同数の「携帯電話ＩＤ」が対応付けられる。換言すれば、一の機種に属する複数の台間機番号には、いずれも同じ「携帯電話ＩＤ」が対応付けられる。
こうして作成された台間機−携帯電話ＩＤ割り当てデータベースは、記憶手段５２に記憶される。
【０１３３】
（II−７）台受付処理
台受付処理とは、遊技店に入場した予約会員が予約した台で遊技を行うときに実行する処理をいう。
以下、台受付処理について、図２５、図２６を参照して説明する。図２５は、遊技場システム１にて実行される台受付処理の手順を示すフローチャートである。図２６は、台受付処理を実行する場合における台間機２０と台予約管理装置５０との間で送受信されるデータの流れを示す動作手順図である。
なお、台受付処理には、開店から所定時間内に実行される「開店時台受付処理」と、開店から所定時間経過すると実行される「台受付開放処理」がある。これらについて順次説明する。
【０１３４】
（II−71）開店時台受付処理
開店時間になると、遊技店の店員は、「本確定」の「１」又は「本予約仮確定」の「１」を受けた予約会員を優先的に遊技店に入場させる。そして、開店時間から所定時間経過後に、他の遊技客を入場させるようにする。
このとき、「本確定」の「１」等を受けた予約会員には、開店５分前くらいに遊技店の入口に並んでもらい、開店時間になると少しずつ入場してもらうようにするのが、事故防止の観点から望ましい。
なお、遊技店の店員は、優先的に入場させる予約会員に対して、「本確定」の「１」等を受けたことを証明するもの（携帯電話９０の予約画面、予約会員証など）を提示させる必要はない。また、予約会員にとっても、入場時に、「本確定」の「１」等を受けたことを証明するものを店員に提示する必要はない。これは、ここに説明する台受付処理を実行することで、遊技機１０の座席に座った遊技客が「本確定」の「１」等を受けた予約会員であるか否かを判断できるからである。
【０１３５】
予約会員は、遊技店に入場すると、予約した機種の遊技機１０の座席にすわる。ここで、予約会員は、複数台の遊技機１０からなる機種（特定遊技機コーナー）に対して予約（「本確定」の「１」等）をしているが、実際に遊技する遊技機１０は、その機種に属する複数台の遊技機１０の中から選ばれた一台の遊技機１０である。なお、遊技場システム１が一台の遊技機１０を台予約できる場合において、予約会員が一台の遊技機１０に対し予約（「本確定」の「１」等）をしたときは、その遊技機１０の座席にすわる。
座席にすわった予約会員は、自身が所持する携帯電話９０を、遊技機１０に併設された台間機２０のＩＤリーダ２２に近づけてかざす。
ＩＤリーダ２２は、そのかざされた携帯電話から「携帯電話ＩＤ」を読み取る（図２６のステップ１７０）。制御手段２７は、記憶手段２６から「台間機番号」を取り出すと、それら「携帯電話ＩＤ」と「台間機番号」とを、照合要求として、通信手段２５を介して台予約管理装置５０へ送信する（ステップ１７１）。
【０１３６】
台予約管理装置５０の通信手段５１は、その照合要求を受信する（図２６のステップ１７２、図２５のステップ１６０）。制御手段５５は、受信された照合要求に含まれている「台間機番号」の示す台間機２０が、受信時間制限付き台間機であるか否かを判断する（図２５のステップ１６１）。
受信時間制限付き台間機とは、遊技機１０が新台であるような場合において、該遊技機１０の遊技開始時間が開店時間よりも遅い時間に設定されているときの、この該遊技機１０に併設された台間機２０をいう。
【０１３７】
判断の結果、「台間機番号」の示す台間機２０が受信時間制限付き台間機であるときは、次いで、制御手段５５は、その受信時間制限付き台間機に設定された制限時間が経過したか否かを判断し（ステップ１６２）、制限時間が経過していないときは、台受付処理を終了する。
一方、制限時間が経過しているとき、又は、「台間機番号」の示す台間機２０が受信時間制限付き台間機でないときは、続いて、制御手段５５は、当日の台間機−携帯電話ＩＤ割り当てデータベースを参照し（図２５のステップ１６３）、受信された照合要求に含まれている「携帯電話ＩＤ」が台間機−携帯電話ＩＤ割り当てデータベースの「割り当て携帯電話ＩＤ」に存在するか否かを判断する（照合、図２５のステップ１６４、図２６のステップ１７３）。
【０１３８】
判断の結果、受信された照合要求に含まれている「携帯電話ＩＤ」が台間機−携帯電話ＩＤ割り当てデータベースの「割り当て携帯電話ＩＤ」に存在しないときは（図２５のステップ１６４のＮｏ）、台受付処理を終了する。これは、遊技機１０の座席にすわった遊技客が、台予約をしていない遊技客又は「本確定」の「１」等を受けていない遊技客であるので、このような遊技客に遊技をさせないためである。
この場合、台予約管理装置５０の制御手段５５は、玉貸し不可を示す照合結果を、通信手段５１を介し、照合要求を送信してきた台間機２０に対して送信する（図２６のステップ１７４）。台間機２０の通信手段２５は、照合結果を受信する（ステップ１７５）。これにより、台間機２０は、その遊技客に対して玉貸しを行わないようにすることができる。
【０１３９】
一方、受信された照合要求に含まれている「携帯電話ＩＤ」が台間機−携帯電話ＩＤ割り当てデータベースの「割り当て携帯電話ＩＤ」に存在しているときは（図２５のステップ１６４のＹｅｓ）、制御手段５５は、次いで、その台間機−携帯電話ＩＤ割り当てデータベースにおいて、該「携帯電話ＩＤ」が割り当てられた「台間機番号」の中に照合要求として送信されてきた「台間機番号」が存在するか否かを判断する。
判断の結果、該「携帯電話ＩＤ」が割り当てられた「台間機番号」の中に照合要求として送信されてきた「台間機番号」が存在しないときは、台受付処理を終了する。これは、遊技機１０の座席にすわった遊技客が、「本確定」又は「本予約仮確定」が「１」の遊技機１０以外の遊技機１０にすわっているので、このような遊技客に遊技をさせないためである。
この場合、制御手段５５は、玉貸し不可を示す照合結果を、通信手段５１を介し、照合要求を送信してきた台間機２０に送信する（図２６のステップ１７４）。台間機２０は、その照合結果を受信すると（ステップ１７５）その遊技客に対して玉貸しを行わないようにすることができる。
【０１４０】
一方、該「携帯電話ＩＤ」が割り当てられた「台間機番号」の中に照合要求として送信されてきた「台間機番号」が存在するときは、制御手段５５は、その「台間機番号」に関連付けられた「割り当て携帯電話ＩＤ」の中から、照合要求として送信してきた「携帯電話ＩＤ」以外の「携帯電話ＩＤ」を削除する（図２５のステップ１６５）。
【０１４１】
例えば、図２７に示すように、台間機２０から台予約管理装置５０に対して、「台間機番号：００１」と、「携帯電話ＩＤ：５４６９７５２Ｄ」が、照合要求として送信されたものとする。制御手段５５は、台間機−携帯電話ＩＤ割り当てデータベースを参照し、「台間機番号：００１」を検索する。そして、ヒット（抽出）した「台間機番号：００１」に関連付けられた「割り当て携帯電話ＩＤ」の中から、照合要求として送信してきた「携帯電話ＩＤ：５４６９７５２Ｄ」以外の「携帯電話ＩＤ」である「５９８１４３２Ｇ」、「３８６２４８６Ｈ」、「１９５４７６３Ｊ」、「８４２６６３１Ｓ」を削除する。これは、「携帯電話ＩＤ：５４６９７５２Ｄ」を有する予約会員が「台間機番号：００１」の台間機２０に対応した遊技機１０で遊技ができることを確保し、他の遊技客が該遊技機１０で遊技できないようにするものである。また、同じ「機種：ＣＲ：ａａａ」を予約した他の予約会員に対しては、その同じ機種で複数台の遊技機１０により遊技をさせないようにするためでもある。
なお、図２７においては、「台間機番号：００１」に関連付けられた「割り当て携帯電話ＩＤ」のうち「携帯電話ＩＤ：５４６９７５２Ｄ」を削除しないようにしてあるが、これに限るものではなく、「携帯電話ＩＤ：５４６９７５２Ｄ」を削除することもできる。
【０１４２】
また、制御手段５５は、台間機−携帯電話ＩＤ割り当てデータベースを参照し、照合要求として送信されてきた「台間機番号」の台間機２０の属する機種を検索し、ヒット（抽出）した機種に属する他の台間機２０の「台間機番号」に関連付けられた「割り当て携帯電話ＩＤ」の中から、照合要求として送信してきた「携帯電話ＩＤ」を削除する（図２５のステップ１６５）。
例えば、図２７に示すように、台間機２０から台予約管理装置５０に対して、「台間機番号：００１」と、「携帯電話ＩＤ：５４６９７５２Ｄ」が、照合要求として送信されたものとする。制御手段５５は、台間機−携帯電話ＩＤ割り当てデータベースを参照し、「台間機番号：００１」の属する機種を検索する。そして、ヒット（抽出）した「機種：ＣＲ：ａａａ」に属する他の台間機２０の「台間機番号：００２」〜「台間機番号：００５」に関連付けられた「割り当て携帯電話ＩＤ」の中から、照合要求として送信してきた「携帯電話ＩＤ：５４６９７５２Ｄ」を削除する。これは、「携帯電話ＩＤ：５４６９７５２Ｄ」を有する予約会員が「台間機番号：００１」の台間機２０に対応した遊技機１０以外の遊技機１０で遊技ができないようにするものである。
【０１４３】
そして、制御手段５５は、その予約会員に対して玉貸しを解除（許可）することを示す照合結果を、通信手段５１を介し、照合要求を送信してきた台間機２０に対して送信する（図２５のステップ１６６、図２６のステップ１７４）。台間機２０の通信手段２１は、その照合結果を受信する（ステップ１７５）。これにより、台間機２０は、その予約会員に対して玉貸しを行うことができる。
なお、「携帯電話ＩＤ」が「３９８１４３２Ｇ」である予約会員が機種「ＣＲ：ａａａ」を「本確定」しており、「台間機番号：００２」の台間機２０が併設された遊技機１０の座席にすわり、携帯電話９０をその台間機２０のＩＤリーダ２２にかざしたときも、「携帯電話ＩＤ」が「５４６９７５２Ｄ」である予約会員に対して行われた前述の台受付処理と同様の処理が実行される。
【０１４４】
（II−72）台受付開放処理
開店時間から所定時間経過後には、台受付開放処理が実行される。この台受付開放処理について、図２８を参照して説明する。
【０１４５】
台予約管理装置５０の制御手段５５は、開店から所定時間が経過したか否かを判断する（ステップ１８０）。
判断の結果、所定時間が経過していないときは、所定時間が経過するまで待機する。
一方、所定時間が経過したときは、次いで、制御手段５５は、台間機２０が、受信時間制限付きの台間機２０であるか否か（新台か否か）を判断する（ステップ１８１）。
判断の結果、受信時間制限付き台間機であるときは、次いで、制限時間が経過したか否かを判断する（ステップ１８２）。
判断の結果、制限時間が経過していないときは、台受付処理を終了する。
一方、制限時間が経過したとき、又は、受信時間制限付き台間機でないときは、制御手段５５は、すべての台間機２０に対して、貸し出しの解除（許可）を示す玉貸し解除要求を送信する（ステップ１８３）。この玉貸し解除要求を受信したすべての台間機２０は、玉貸しを解除する。これにより、台予約をしていない遊技客に対しても、すべての遊技機１０が開放される。
【０１４６】
このような台受付開放処理を実行することで、台予約があった遊技機１０であっても、開店から所定時間経過後は、開放して、すべての遊技客に対して遊技を行わせることができる。
なお、本実施形態においては、台受付開放処理を実行する時間（開店から所定時間）を台予約管理装置５０に予め設定しておき、この時間に達すると自動的に台受付開放処理を実行することとしてあるが、これに限るものではなく、例えば、予約会員の入場が完了した時点で、遊技店の店員が台予約管理装置５０の入力手段５４を操作し、この操作によって台受付開放処理を実行させ、すべての遊技機１０を開放するとともに、一般遊技者を入場させるようにしてもよい。この場合、台受付開放処理を実行する時間は、台予約管理装置５０に設定しないこととすることができる。また、台受付開放処理を実行する時間を設定可能とした場合において、この時間に達する前に店員が台予約管理装置５０を操作したときには、この操作した時点で台受付開放処理を実行するようにすることもできる。
【０１４７】
［第二実施形態］
次に、本発明の遊技場システムの第二の実施形態について、図２９〜図３１を参照して説明する。
本実施形態は、第一実施形態と比較して、会員を特定するデータが相違する。すなわち、第一実施形態では、予約会員を特定する識別情報として「携帯電話ＩＤ」を用いたのに対し、本実施形態では、「本会員カードＩＤ」を用いる。他の構成要素は第一実施形態と同様である。
したがって、本実施形態において、図１等と同様の構成部分については同一の符号を付して、その詳細な説明を省略する。
なお、図２９は、本実施形態の遊技場システムで使用される本会員データベースの構成を示す図表である。図３０は、本実施形態の遊技場システムで使用される予約機種確定データベースの構成を示す図表である。図３１は、本実施形態の遊技場システムで使用される台間機−本会員カードＩＤ割り当てデータベースの構成を示す図表である。
【０１４８】
（Ｉ）遊技場システム
図１に示すように、遊技場システム１は、遊技機１０と、台間機２０と、台管理装置３０と、ホール管理装置４０と、台予約管理装置５０と、カード管理装置６０と、台予約確認端末７０とを備えている。
ここで、台間機２０は、図２、図３に示すように、紙幣投入口２１と、ＩＤリーダ２２と、カードリーダ２３と、紙幣搬送部２４と、通信手段２５と、記憶手段２６と、制御手段２７とを有している。
カードリーダ２３は、本会員カードの挿入口（図２参照）と、この本会員カードから「本会員カードＩＤ」を読み取る読取部（図示せず）を有しており、この読み取った「本会員カードＩＤ」を制御手段２７へ送る。制御手段２７は、記憶手段２６から「台間機番号」を取り出すと、それら「本会員カードＩＤ」と「台間機番号」を、通信手段２５を介して台予約管理装置５０へ送信する。
本実施形態の本会員カードは、貯玉を出入可能なキーカードであり、他人に使用されると貯玉を窃取されるおそれのある有価価値を有したカードである。
【０１４９】
ホール管理装置４０の記憶手段４２は、本会員データベースを記憶する。本会員データベースは、図２９に示すように、「本会員番号」と、「本会員カードＩＤ」と、「暗証番号」と、「性別」と、「貯玉」と、「携帯電話メールアドレス」とを項目として構成することができる。
「本会員番号」は、本会員に対して付与されたシリアル番号である。
「本会員カードＩＤ」は、本会員カードに記憶されている番号である。この「本会員カードＩＤ」が記憶されている本会員カードは、第一実施形態における「携帯電話ＩＤ」を記憶した携帯電話と同様、遊技場システム１が読み取り可能な固有の識別情報を有する記憶媒体である。
【０１５０】
台予約管理装置５０の記憶手段５２は、本会員データベースと、機種−台間機割り当てデータベースと、予約機種確定データベースと、台間機−本会員カードＩＤ割り当てデータベースとを記憶する。
機種−台間機割り当てデータベースは、図６に示すものと同様の構成を有している。
予約機種確定データベースは、図３０に示すように、「予約順」と、「本会員番号」と、「本会員カードＩＤ」と、「予約機種」と、「割り当て台間機番号」と、「本予約」と、「キャンセル待ち」と、「複数予約」と、「キャンセル待ち確定」と、「キャンセル待ち順」と、「本予約仮確定」と、「本確定」とを項目として構成することができる。
台間機−本会員カードＩＤ割り当てデータベースは、図３１に示すように、「台間機番号」と、「機種」と、「割り当て本会員カードＩＤ」とを項目として構成することができる。
【０１５１】
台予約確認端末７０は、図９に示すように、通信手段７１と、記憶手段７２と、表示手段７３と、入力手段７４と、制御手段７５と、カードリーダ７７とを有している。
カードリーダ７７は、本会員カードの挿入口（図示せず）と、この本会員カードから本会員カードＩＤを読み取る読取部（図示せず）を有しており、この読み取った本会員カードＩＤを制御手段７５へ送る。
【０１５２】
（II）入場管理方法
次に、本実施形態の遊技場システムの動作（入場管理方法）について説明する。
本実施形態の入場管理方法は、第一実施形態における入場管理方法の手順とほぼ同様である。
ただし、本実施形態の遊技場システムは、（Ｉ）で説明した構成が第一実施形態の遊技場システムと相違することから、この相違した構成に対応した手順により、本実施形態の入場管理方法が実行される。例えば、台予約確認処理においては、台予約確認端末７０のカードリーダ７７が本会員カードから本会員カードＩＤを読み取る。また、台受付処理においては、台間機２０のカードリーダ２３が本会員カードから本会員カードＩＤを読み取る。そして、台予約管理装置５０においては、本会員の照合や各種データベースの管理が本会員カードＩＤを用いて行われる。
【０１５３】
以上説明したように、本実施形態の遊技場システムによれば、従来から使用されてきた整理券や印刷可能なＱＲコードではなく、遊技場システムが読取可能な記憶媒体に固有の識別情報、例えば、携帯電話のＩＤや本会員カードのＩＤなど、他人に譲渡することで不利益が生じる物に付与されたＩＤを利用して遊技者の入場を管理するので、転売を防止できる。
また、本予約ができなかった機種についてはキャンセル待ち（キャンセル待ち）ができるので、その機種にキャンセルが出れば、この機種の遊技機で遊技をすることができる。特に、本予約をしても当日来店しない遊技者がいた場合には、その者よりも、当日来店してキャンセル待ちを登録した遊技者に対し優先して遊技を行わせることができる。
【０１５４】
さらに、一の機種をキャンセル待ちするとともに、他の機種を本予約することができるので、そのキャンセル待ちしていた機種にキャンセルが出なかった場合でも、本予約をしておいた機種による遊技を確保できる。
しかも、予約会員の登録においては、携帯電話ＩＤなど、最小限の個人情報の提供でよいので、予約会員のプライバシーを守ることができる。
また、店員にとっては、開店前に遊技店の入口で予約した遊技者を順番通りに並ばせる必要がなく、しかも、今、どの整理券が入場可能かを表示しなくてもよい（例えば、１０人くらいずつ所定の間隔で入場させればよい）ので、作業負担を軽減できる。
【０１５５】
以上、本発明の遊技場システムの好ましい実施形態について説明したが、本発明に係る遊技場システムは上述した実施形態にのみ限定されるものではなく、本発明の範囲で種々の変更実施が可能であることは言うまでもない。
例えば、上述した実施形態においては、遊技場システムが読取可能な記憶媒体に固有の識別情報として、例えば、携帯電話のＩＤや本会員カードのＩＤなどを挙げたが、これらに限るものではなく、ユニークなＩＤを有する機器や装置であればどのようなものでもよい。
【０１５６】
また、上述した実施形態においては、台予約管理装置５０が台予約に関する処理を実行することとしたが、これに限るものではなく、例えば、ホール管理装置４０がその処理を実行するようにすることもできる。
さらに、上述した実施形態においては、キャンセル待ちができる機種の数を一つとしたが、一つに限るものではなく、複数とすることができる。
【産業上の利用可能性】
【０１５７】
本発明は、遊技客の入場を管理するシステムに関する発明であるため、遊技客の入場を管理する装置や機器に利用可能である。
【符号の説明】
【０１５８】
１  遊技場システム
１０  遊技機
２０  台間機
４０  ホール管理装置
５０  台予約管理装置
７０  台予約確認端末
９０  遊技者端末機
【図１】
0005499292.tif 000002
【図２】
0005499292.tif 000003
【図３】
0005499292.tif 000004
【図４】
0005499292.tif 000005
【図５】
0005499292.tif 000006
【図６】
0005499292.tif 000007
【図７】
0005499292.tif 000008
【図８】
0005499292.tif 000009
【図９】
0005499292.tif 000010
【図１０】
0005499292.tif 000011
【図１１】
0005499292.tif 000012
【図１２】
0005499292.tif 000013
【図１３】
0005499292.tif 000014
【図１４】
0005499292.tif 000015
【図１５】
0005499292.tif 000016
【図１６】
0005499292.tif 000017
【図１７】
0005499292.tif 000018
【図１８】
0005499292.tif 000019
【図１９】
0005499292.tif 000020
【図２０】
0005499292.tif 000021
【図２１】
0005499292.tif 000022
【図２２】
0005499292.tif 000023
【図２３】
0005499292.tif 000024
【図２４】
0005499292.tif 000025
【図２５】
0005499292.tif 000026
【図２６】
0005499292.tif 000027
【図２７】
0005499292.tif 000028
【図２８】
0005499292.tif 000029
【図２９】
0005499292.tif 000030
【図３０】
0005499292.tif 000031
【図３１】
0005499292.tif 000032